(57)【要約】【課題】エレベータの乗車前に行先階を設定するように構成されたエレベータシステムにおいて利用者の利便性を向上させる。【解決手段】行先階取得装置５０は、エレベータの利用者の所持する情報端末２００により生成されて情報端末２００の表示部２０４に表示されたＱＲコードを読み取り、ＱＲコードに格納された情報を取得するリーダ２５，３６と、複数の情報端末２００の情報端末ＩＤを格納する記憶部１０２と、リーダ２５，３６でＱＲコードから取得された情報に基づく制御を行う制御部１０１とを備える。ＱＲコードは、情報端末２００の情報端末ＩＤと行先階の情報とを格納する。制御部１０１は、ＱＲコードから取得された情報端末ＩＤが記憶部１０２に格納されているときは、ＱＲコードから取得された行先階の情報を、エレベータの運行を制御する群管理制御装置１０に出力する。【選択図】図２
2018080033.tif 000002
【特許請求の範囲】
【請求項１】
エレベータの利用者の所持する情報端末により生成されて前記情報端末の表示部に表示された二次元コードを読み取り、前記二次元コードに格納された情報を取得するリーダと、
複数の情報端末の識別情報を格納する記憶部と、
前記リーダで前記二次元コードから取得された情報に基づく制御を行う制御部と、を備え、
前記二次元コードは、前記識別情報と行先階の情報とを格納し、
前記制御部は、前記二次元コードから取得された識別情報が前記記憶部に格納されているときは、前記二次元コードから取得された行先階の情報を、エレベータの運行を制御する運行制御装置に出力する、
行先階取得装置。
【請求項２】
前記二次元コードは、さらに、出発階の情報を格納し、
前記制御部は、前記二次元コードから取得された識別情報が前記記憶部に格納されているときは、さらに、前記二次元コードから取得された出発階の情報を前記運行制御装置に出力する、
請求項１に記載の行先階取得装置。
【請求項３】
前記二次元コードは、さらに、当該二次元コードの作成時刻の情報を格納し、
前記制御部は、前記リーダで前記二次元コードが読み取られた時刻が、当該二次元コードの作成時刻から所定時間が経過した時刻であるときは、前記二次元コードから取得された行先階の情報を前記運行制御装置に出力しない、
請求項１に記載の行先階取得装置。
【請求項４】
前記二次元コードは、さらに、当該二次元コードの作成時刻の情報を格納し、
前記制御部は、
前記二次元コードから取得された識別情報が前記記憶部に格納されているが、前記二次元コードから取得された作成時刻の情報が前記記憶部に格納されていないときは、前記二次元コードから取得された作成時刻の情報を、前記記憶部に格納されている識別情報に対応付けて利用履歴を示す情報として前記記憶部に格納し、かつ前記二次元コードから取得された行先階の情報を、エレベータの運行を制御する運行制御装置に出力し、
前記二次元コードから取得された識別情報が前記記憶部に格納され、かつ前記二次元コードから取得された作成時刻の情報が前記識別情報に対応付けて利用履歴を示す情報として前記記憶部に格納されているときは、前記二次元コードから取得された行先階の情報を、エレベータの運行を制御する運行制御装置に出力しない、
請求項１に記載の行先階取得装置。
【請求項５】
少なくとも１台のエレベータと、
請求項１から４のいずれか１項に記載の行先階取得装置と、
前記行先階取得装置から出力された行先階の情報に基づいて各エレベータの運行を制御する運行制御装置と、を備える、
エレベータシステム。    
【請求項６】
ビル内において前記エレベータが配置される領域である特定領域への利用者の進入を規制する規制部と、
前記リーダで前記二次元コードから取得された識別情報が前記記憶部に格納されているときは、前記規制部の規制を解除させる規制制御部と、を備える、
請求項５に記載のエレベータシステム。
【請求項７】
利用者の情報入力操作を受け付ける操作部と、
画像を表示する表示部と、
当該情報端末に対応付けられた識別情報と利用者の行先階の情報とを前記操作部を介して入力し、入力された識別情報と行先階の情報とを格納した二次元コードを生成し、生成された二次元コードを前記表示部に表示させる制御部と、を備える、
情報端末。
【請求項８】
前記制御部は、さらに、前記二次元コードを生成してから所定時間が経過したときに、前記表示部における前記二次元コードの表示を消去させる、
請求項７に記載の情報端末。
【請求項９】
前記制御部は、さらに、前記二次元コードを生成してから所定時間が経過したときに、前記二次元コードが失効したことを示すメッセージを前記表示部に表示させる、
請求項７に記載の情報端末。
【請求項１０】
前記制御部は、さらに、前記二次元コードを生成してから所定時間が経過したときに、前記二次元コードの再生成を受け付ける再生成ボタンを前記表示部に表示させ、前記操作部を介して前記再生成ボタンに対する操作があったときは、前記二次元コードを再生成する、
請求項７に記載の情報端末。
【請求項１１】
コンピュータを、請求項７から請求項１０のいずれか１項に記載の情報端末の制御部として機能させる、プログラム。
【発明の詳細な説明】
【技術分野】
【０００１】
本発明は、エレベータの乗車前に行先階を設定するように構成されたエレベータシステム、当該エレベータシステムにおける行先階取得装置、当該エレベータシステムにおいて用いられる情報端末、及び情報端末におけるプログラムに関する。
【背景技術】
【０００２】
特許文献１は、複数のエレベータと、ビルにおいてエレベータ乗場が設けられる領域の入口に配置されるセキュリティゲートと、エレベータの行先階を登録するための行先階登録装置とを有するエレベータシステムを開示している。このエレベータシステムでは、セキュリティゲートに設けられた情報読み取り装置にセキュリティカード（ＩＤカード）をかざすことで、エレベータ乗場内に進入し、かつ利用者の行先階を自動で登録することができる。
【先行技術文献】
【特許文献】
【０００３】
【特許文献１】特開２０１６−０５６０１７号公報
【発明の概要】
【発明が解決しようとする課題】
【０００４】
セキュリティゲートでＩＤカードを利用してエレベータ乗場内に進入した利用者が、ＩＤカードにデフォルトで紐付けられている行先階以外の階床に行くためには、エレベータ乗場内の行先階登録装置で行きたい階床を入力して号機の割当てを再度受ける必要があり、利用者の利便性において課題がある。
【０００５】
本発明は、エレベータの乗車前に行先階を設定するように構成されたエレベータシステムにおいて利用者の利便性を向上させることを目的とする。
【課題を解決するための手段】
【０００６】
本発明の第１の態様において、行先階取得装置が提供される。
本発明の行先階取得装置は、
エレベータの利用者の所持する情報端末により生成されて情報端末の表示部に表示された二次元コードを読み取り、二次元コードに格納された情報を取得するリーダと、
複数の情報端末の識別情報を格納する記憶部と、
リーダで二次元コードから取得された情報に基づく制御を行う制御部と、を備える。
二次元コードは、情報端末の識別情報と行先階の情報とを格納する。
制御部は、二次元コードから取得された識別情報が記憶部に格納されているときは、二次元コードから取得された行先階の情報を、エレベータの運行を制御する運行制御装置に出力する。
【０００７】
本発明の第２の態様において、エレベータシステムが提供される。
本発明のエレベータシステムは、
少なくとも１台のエレベータと、
本発明の行先階取得装置と、
行先階取得装置から出力された行先階に基づいて各エレベータの運行を制御する運行制御装置と、を備える。
【０００８】
本発明の第３の態様において、情報端末が提供される。
本発明の情報端末は、
利用者の情報入力操作を受け付ける操作部と、
画像を表示する表示部と、
当該情報端末に対応付けられた識別情報と利用者の行先階の情報とを操作部を介して入力し、入力された識別情報と行先階の情報とを格納した二次元コードを生成し、生成された二次元コードを表示部に表示させる制御部と、を備える。
【０００９】
本発明の第４の態様において、プログラムが提供される。
本発明のプログラムは、コンピュータを、本発明の情報端末の制御部として機能させる。
【発明の効果】
【００１０】
本発明によれば、情報端末で生成された二次元コードを表示部に表示させて行先階取得装置のリーダにかざすだけで、利用者が行きたい行先階をエレベータの運行制御装置に設定できる。そのため、エレベータの利用者の利便性を向上させることができる。
【図面の簡単な説明】
【００１１】
【図１】実施形態１におけるエレベータシステムが適用されるビルの特定階における機器配置を示す概略平面図である。
【図２】実施形態１におけるエレベータシステムの構成を示すブロック図である。
【図３Ａ】実施形態１における行先階登録装置の電気的構成を示すブロック図である。
【図３Ｂ】実施形態１における行先階登録装置の正面図である。
【図４】実施形態１におけるセキュリティゲートの外観を示す斜視図である。
【図５】実施形態１におけるセキュリティゲートの電気的構成を示すブロック図である。
【図６】実施形態１におけるセキュリティサーバの電気的構成を示すブロック図である。
【図７】実施形態１におけるセキュリティサーバの記憶部に格納されている利用者データベースの構成を示す図である。
【図８】実施形態１における情報端末の電気的構成を示すブロック図である。
【図９】実施形態１における情報端末の記憶部に格納されているアプリ設定テーブルの構成を示す図である。
【図１０】実施形態１における情報端末の記憶部に格納されているアプリ設定テーブルの構成を示す図である。
【図１１】実施形態１におけるセキュリティサーバの動作を説明するフローチャートである。
【図１２】実施形態１における群管理制御装置の動作を説明するフローチャートである。
【図１３】実施形態１における利用階設定アプリの初期画面の一例を示す図である。
【図１４】実施形態１における利用階設定アプリの第１ＱＲコード(登録商標)生成画面の一例を示す図である。
【図１５】実施形態１における利用階設定アプリの第２ＱＲコード生成画面の一例を示す図である。
【図１６Ａ】実施形態１における利用階設定アプリの第３ＱＲコード生成画面の一例を示す図である。
【図１６Ｂ】実施形態１における利用階設定アプリの第３ＱＲコード生成画面の一例を示す図である。
【図１７】実施形態１における利用階設定アプリのＱＲコード表示画面の一例を示す図である。
【図１８】実施形態１における利用階設定アプリのＱＲコード失効画面の一例を示す図である。
【図１９】実施形態１における利用階設定アプリの設定画面の一例を示す図である。
【図２０Ａ】実施形態１における利用階設定アプリのデフォルト行先階変更画面の一例を示す図である。
【図２０Ｂ】実施形態１における利用階設定アプリのデフォルト行先階変更画面の一例を示す図である。
【図２１】実施形態１における利用階設定アプリの初期画面の一例を示す図である。
【図２２Ａ】実施形態１における利用階設定アプリのよく使う行先階及び出発階追加画面の一例を示す図である。
【図２２Ｂ】実施形態１における利用階設定アプリのよく使う行先階及び出発階追加画面の一例を示す図である。
【図２３】実施形態１における利用階設定アプリのよく使う行先階及び出発階追加画面の一例を示す図である。
【図２４】実施形態１における情報端末の動作を説明するフローチャートである。
【発明を実施するための形態】
【００１２】
本発明の実施形態について図面を参照して説明する。
【００１３】
（実施形態１）
１．構成
１−１．エレベータシステムの概要
実施形態１におけるエレベータシステムの概要について説明する。図１は、実施形態１におけるエレベータシステムが適用されるビル（建物）の特定階における機器配置を示す概略平面図である。特定階とは、例えば当該ビルの外部につながるロビー階であり、ビルの利用者は特定階を経由して他の階に移動することとなる。
【００１４】
本実施形態に係るエレベータシステムは、複数台のエレベータ６０Ａ〜６０Ｆと、エレベータ６０Ａ〜６０Ｆの運行を統合的に制御する群管理システムとを含む。以下において、エレベータ６０Ａ〜６０Ｆを適宜Ａ号機〜Ｆ号機という。本実施形態では、一例としてＡ号機からＦ号機の６台のエレベータ６０Ａ〜６０Ｆが設けられている。各エレベータ６０Ａ〜６０Ｆの乗車用開口がエレベータ乗場側に設けられており、利用者はエレベータ乗場からエレベータ６０Ａ〜６０Ｆに乗車する。なお、複数台のエレベータ６０Ａ〜６０Ｆは互いに同一の構成を有する。そのため、以下、エレベータ６０Ａ〜６０Ｆを区別せずに「エレベータ６０」という場合がある。
【００１５】
本実施形態では、ビルのロビー階等の特定階に、複数台のセキュリティゲート２０Ａ〜２０Ｃが配置されている。複数台のセキュリティゲート２０Ａ〜２０Ｃは互いに同一の構成を有する。そのため、以下、セキュリティゲート２０Ａ〜２０Ｃを区別せずに「セキュリティゲート２０」という場合がある。利用者は、エントランス側からいずれかのセキュリティゲート２０を通過して特定領域に進入する。
【００１６】
ビルにおいて、特定階のエントランス側からセキュリティゲート２０を通過しないと入れない領域を、以下適宜「特定領域」という。特定領域には、エレベータ乗場や、各エレベータ６０のかご内のスペースや、エレベータ６０を利用して移動可能な各階床のスペースを含む。
【００１７】
特定階のエレベータ乗場の近傍には、行先階登録装置３０Ａが配置されている。
【００１８】
特定階以外の各階床のエレベータ乗場の近傍には、行先階登録装置３０Ｂ〜３０Ｚ（図２参照）が配置されている。複数台の行先階登録装置３０Ａ〜３０Ｚは互いに同一の構成を有する。そのため、以下、行先階登録装置３０Ａ〜３０Ｚを区別せずに「行先階登録装置３０」という場合がある。
【００１９】
本実施形態におけるエレベータシステムでは、利用者がエレベータ６０のかごに乗車する前にセキュリティゲート２０や行先階登録装置３０で行先階を予め登録する行先階登録方式を採用している。そして、群管理システムは、このように予め登録された行先階（行先階呼び）を、複数台のエレベータ６０のうちのいずれかの号機に割り当てて、割り当てた号機を示す情報を利用者に報知し、割り当てた号機に利用者を乗車させるように構成されている。
【００２０】
また、本実施形態におけるエレベータシステムでは、利用者は、行先階の登録を、ビル入館用のＩＤカードを利用し、または自己の情報端末２００で生成したＱＲコードを利用して行うことが可能に構成されている。
【００２１】
なお、特定階の行先階登録装置３０Ａは、特定領域に進入した利用者が、群管理システムにより指定されたエレベータ６０に乗り遅れたとき、あるいはＩＤカードに登録されている利用者ＩＤに対応付けられている行先階以外の許可階に移動するときなどに、エレベータ６０を利用可能とするために設けられている。
【００２２】
１−２．エレベータシステムの構成
１−２−１．概要
図２は、実施形態１におけるエレベータシステムの構成を示すブロック図である。本実施形態におけるエレベータシステムは、複数台のエレベータ６０Ａ〜６０Ｆと、群管理システムとを含む。エレベータの群管理システムは、群管理制御装置１０と、複数台の行先階登録装置３０Ａ〜３０Ｚと、複数台のエレベータ制御装置４０Ａ〜４０Ｆと、複数台のゲート表示器７０とを有する。ゲート表示器７０は、セキュリティゲート２０に配置されている。
【００２３】
エレベータシステムは、本発明の行先階取得装置としての行先階取得装置５０を含む。行先階取得装置５０は、セキュリティサーバ１００の制御部と、セキュリティゲート２０（２０Ａ〜２０Ｃ）にそれぞれ配置されたリーダ２５と、行先階登録装置３０（３０Ａ〜３０Ｚ）にそれぞれ配置されたリーダ３６とを含む。行先階取得装置５０は、利用者の所持する携帯型の情報端末２００の表示部に表示されたＱＲコードをリーダ２５，３６で読み取り、当該ＱＲコードに格納された情報端末ＩＤ及び行先階の情報等を取得する。情報端末ＩＤは、情報端末に対応付けられた識別情報の一例である。行先階取得装置５０は、取得した情報端末ＩＤが、セキュリティサーバ１００の記憶部に格納されているときは、ＱＲコードから取得された行先階の情報を、エレベータの運行を制御する群管理制御装置１０に出力する。
【００２４】
群管理制御装置１０は、セキュリティサーバ１００及び行先階登録装置３０との間で通信を行いながら、各号機に対する新規の行先階呼びの割当制御を行う。各装置間は、情報伝送可能なネットワークＮＷを介して接続されている。ネットワークＮＷは、例えばＥｔｈｅｒｎｅｔ（登録商標）等のＬＡＮ（Ｌｏｃａｌ  Ａｒｅａ  Ｎｅｔｗｏｒｋ）により構成され、各装置間での各種の情報の送受信は、ＴＣＰ／ＩＰ等の各種のプロトコルにしたがって行われる。ネットワークＮＷ上に接続されている前述の各装置は、装置間において、各装置が有する入出力インタフェースにより、ＴＣＰ／ＩＰ等の各種のプロトコルにしたがった通信による信号伝送（情報伝送）が可能である。なお、群管理システムを構成する各装置間は、他の信号形式のネットワークや、専用の信号網を介して接続されてもよい。
【００２５】
各エレベータ６０（６０Ａ〜６０Ｆ）は、かご、巻上機（モータ）、釣合おもり等を有する。
【００２６】
１−２−２．群管理制御装置
群管理制御装置１０は、複数台のエレベータ６０Ａ〜６０Ｆの運行を統合的に制御する。
【００２７】
群管理制御装置１０は、コンピュータを利用して構成され、制御部１１と、記憶部１２と、入出力インタフェース１３と、を備える。
【００２８】
記憶部１２は、例えばＲＡＭ、ＲＯＭ、ＨＤＤ、ＳＳＤ等を利用して構成され、プログラム、及び種々のデータを格納している。プログラムは、本実施形態の群管理制御装置１０の各種機能を実現するためのプログラムを含む。
【００２９】
制御部１１は、例えばＣＰＵ、ＭＰＵ等を利用して構成される。制御部１１は、記憶部１２から読み出した上記プログラムに基づいて種々のデータ等を利用して演算処理を行うことにより、群管理制御装置１０における後述する各種の機能を実現する。
【００３０】
入出力インタフェース１３は、例えばＬＡＮアダプタ等を利用して構成される。入出力インタフェース１３は、群管理制御装置１０が、セキュリティサーバ１００、セキュリティゲート２０（２０Ａ〜２０Ｃ）のゲート表示器７０、行先階登録装置３０（３０Ａ〜３０Ｚ）、及びエレベータ制御装置４０（４０Ａ〜４０Ｆ）との間で各種信号を送受信するためのインタフェースである。入出力インタフェース１３は、制御部１１から出力される信号を所定の形式の信号に変換してセキュリティサーバ１００、セキュリティゲート２０のゲート表示器７０、行先階登録装置３０、エレベータ制御装置４０に出力する。また、入出力インタフェース１３は、セキュリティサーバ１００、セキュリティゲート２０のゲート表示器７０、行先階登録装置３０、エレベータ制御装置４０から入力された信号を所定の形式の信号に変換して制御部１１に出力する。
【００３１】
１−２−３．行先階登録装置
図３Ａは、実施形態１における行先階登録装置３０の電気的構成を示すブロック図である。行先階登録装置３０は、利用者が行先階の登録を行うための装置である。行先階登録装置３０は、制御部３１と、記憶部３２と、第１入出力インタフェース３３と、第２入出力インタフェース３７と、表示部３４と、操作部３５と、リーダ３６とを備える。
【００３２】
記憶部３２は、例えばＲＡＭ、ＲＯＭ、ＨＤＤ、ＳＳＤ等を利用して構成され、プログラム、及び種々のデータを格納している。プログラムは、本実施形態の行先階登録装置３０の各種機能を実現するためのプログラムを含む。
【００３３】
制御部３１は、例えばＣＰＵ、ＭＰＵ等を利用して構成される。制御部３１は、記憶部３２から読み出した上記プログラムに基づいて種々のデータ等を利用して演算処理を行うことにより、行先階登録装置３０における後述する各種の機能を実現する。
【００３４】
第１入出力インタフェース３３は、例えばＬＡＮアダプタ等を利用して構成される。第１入出力インタフェース３３は、行先階登録装置３０が群管理制御装置１０との間で各種信号を送受信するためのインタフェースである。第１入出力インタフェース３３は、制御部３１から出力された信号を所定の形式の信号に変換して群管理制御装置１０に出力する。また、第１入出力インタフェース３３は、群管理制御装置１０から入力された信号を所定の形式の信号に変換して制御部３１に出力する。
【００３５】
第２入出力インタフェース３７は、例えばＬＡＮアダプタ等を利用して構成される。第２入出力インタフェース３７は、行先階登録装置３０がセキュリティサーバ１００との間で各種信号を送受信するためのインタフェースである。第２入出力インタフェース３７は、制御部３１から出力された信号を所定の形式の信号に変換してセキュリティサーバ１００に出力する。
【００３６】
リーダ３６は、カードリーダ部３６ａと、ＱＲコードリーダ部３６ｂとを有する。カードリーダ部３６ａは、ＩＣカードのＩＣタグに記録された情報を例えば電磁的に非接触で読み取り可能なリーダである。ＱＲコードリーダ部３６ｂは、スマートフォン等の情報端末２００の表示部に表示されたＱＲコードを光学的に読み取り可能なリーダである。具体的には、リーダ３６のカードリーダ部３６ａとＱＲコードリーダ部３６ｂは、図３Ｂに示すように、一体的に構成されている。リーダ３６のＱＲコードリーダ部３６ｂは、行先階登録装置３０の筐体の前面に臨ませて配置される光学式リーダ（スキャナあるいはカメラ）と、光学式リーダで読み取ったＱＲコードをデコードするデコーダとを備える。カードリーダ部３６ａは、ＱＲコードリーダ部３６ｂの光学式リーダよりも筐体内部側に配置されている。なお、本発明において、リーダ３６は、カードリーダ部３６ａとＱＲコードリーダ部３６ｂとが一体的に構成されたものでなくてもよい。例えば、カードリーダ部３６ａとＱＲコードリーダ部３６ｂとは、行先階登録装置３０の前面や側面の異なる位置に配置されてもよい。
【００３７】
リーダ３６は、ＩＤカードがかざされると、カードリーダ部３６ａにより、ＩＤカードから利用者ＩＤを取得する。リーダ３６は、取得した利用者ＩＤを、第２入出力インタフェース３７を介してセキュリティサーバ１００に出力する。なお、このとき、リーダ３６は、当該リーダ３６のデバイスＩＤをあわせてセキュリティサーバ１００に送信する。
【００３８】
また、リーダ３６は、ＱＲコードがかざされると、ＱＲコードリーダ部３６ｂにより、ＱＲコードを読み取ってデコードし、デコードすることで取得されたデータ（情報）を、第２入出力インタフェース３７を介してセキュリティサーバ１００に出力する。なお、このとき、リーダ３６は、当該リーダ３６のデバイスＩＤをあわせてセキュリティサーバ１００に出力する。
【００３９】
操作部３５は、利用者が行先階登録装置３０を利用するためのインタフェースである。操作部３５は、操作内容に応じた信号を制御部３１に出力する。
【００４０】
表示部３４は、制御部３１から出力される表示信号に基づく画像等の表示を行う。
【００４１】
本実施形態では、表示部３４及び操作部３５は、例えば液晶ディスプレイパネルや有機ＥＬディスプレイパネルを利用したタッチパネル式表示装置により一体的に構成されている。なお、表示部３４と操作部３５は、表示部３４に表示されているボタン等のオブジェクトを指定可能であれば、異なる部品を利用して別々に構成されてもよい。
【００４２】
１−２−４．エレベータ制御装置
エレベータ制御装置４０Ａ〜４０Ｆは、エレベータ６０Ａ〜６０Ｆに対応させて設けられ、群管理制御装置１０からの制御信号にしたがって、対応するエレベータ６０Ａ〜６０Ｆの巻上機（モータ）等の動作を制御することにより、エレベータ６０Ａ〜６０Ｆのかごの上昇、下降、停止等を制御する。また、エレベータ制御装置４０Ａ〜４０Ｆはそれぞれ、対応するエレベータ６０Ａ〜６０Ｆのかごの位置、走行方向、ドアの開閉状態、荷重等を含むかご状態を検知して、検知したかご状態を示す情報等を群管理制御装置１０に出力する。なお、複数台のエレベータ制御装置４０Ａ〜４０Ｆは互いに同一の構成を有する。そのため、以下、各エレベータ制御装置を区別せずに「エレベータ制御装置４０」という場合がある。
【００４３】
各エレベータ制御装置４０（エレベータ制御装置４０Ａ〜４０Ｆ）は、制御部、記憶部、入出力インタフェース等を有するコンピュータにより構成可能である。
【００４４】
１−２−５．セキュリティゲート
セキュリティゲート２０は、ビル内部の特定領域への正規の利用者の進入を許可する一方、非正規の利用者の進入については規制する装置である。正規の利用者とは、利用者ＤＢに登録されている利用者であり、非正規の利用者とは、利用者ＤＢに登録されていない利用者である。正規の利用者は、ビル管理者により発行された、正規な利用者ＩＤを格納した正規なＩＤカードを有している。また、正規の利用者は、必要に応じて、ビル管理者により正規に発行された情報端末ＩＤを有している。
【００４５】
図４は、実施形態１におけるセキュリティゲート２０の外観を示す斜視図である。なお、図４は、図１におけるセキュリティゲート２０Ａ（２０）の例を示している。セキュリティゲート２０は、ゲート本体２０ａと、第１センサ２６と、第２センサ２７と、リーダ２５と、ゲート表示器７０と、ゲートフラッパ２８とを備える。
【００４６】
ゲート本体２０ａの外面には、上記の第１センサ２６と、第２センサ２７と、リーダ２５と、ゲート表示器７０とが取り付けられている。ゲート本体２０ａは、後述する制御部２１等を収納する筐体である。ゲート本体２０ａは、それぞれ利用者の進入方向に沿うように、配置されている。ゲート本体２０ａは、隣接するセキュリティゲート２０のゲート本体に対して所定距離離間させて配置され、ゲート本体２０ａの側方には、利用者が通過可能な通路ＰＡが形成されている。
【００４７】
リーダ２５は、ゲート本体２０ａの上面の入口２０ｉ側に配置されている。リーダ２５は、セキュリティゲート２０の通路ＰＡに入口２０ｉ側から進入する利用者がかざしたＩＤカードに格納された利用者ＩＤ、またはＱＲコードに格納された情報端末ＩＤ等の情報を取得する。リーダ２５の構成については後述する。
【００４８】
ゲート表示器７０は、群管理制御装置１０が行先階を割り当てた号機の情報（以下適宜「割当号機情報」という）等を表示する。ゲート表示器７０の詳細な構成については後述する。
【００４９】
第１センサ２６は、セキュリティゲート２０の通路ＰＡの入口２０ｉ側における利用者の移動を検知する。第１センサ２６及び第２センサ２７は、利用者の移動を検知すると、検知信号を出力する。
【００５０】
第２センサ２７は、セキュリティゲート２０の通路ＰＡの出口２０ｅ側における利用者の移動を検知する。第１センサ２６及び第２センサ２７は、利用者の移動を検知すると、検知信号を出力する。
【００５１】
ゲートフラッパ２８は、開閉自在の扉である。ゲートフラッパ２８は、開くことで、正規の利用者がセキュリティゲート２０を通過することを可能とする。ゲートフラッパ２８は、閉まることで、非正規の利用者がセキュリティゲート２０を通過することを妨げる。なお、本実施形態では、ゲートフラッパ２８のデフォルトの状態は、閉じられた状態（閉状態）にあり、正規の利用者を通過させるときに、開かれた状態（開状態）に制御されるものとして説明する。
【００５２】
図５は、実施形態１におけるセキュリティゲート２０の電気的構成を示すブロック図である。セキュリティゲート２０は、上述の構成要素に加えてさらに、制御部２１と、記憶部２２と、入出力インタフェース２３とを備える。
【００５３】
記憶部２２は、例えばＲＡＭ、ＲＯＭ、ＨＤＤ、ＳＳＤ等を利用して構成され、プログラム、及び種々のデータを格納している。プログラムは、本実施形態におけるセキュリティゲート２０の各種機能を実現するためのプログラムを含む。
【００５４】
制御部２１は、例えばＣＰＵ、ＭＰＵ等を利用して構成される。制御部２１は、記憶部２２に格納されたプログラムに基づいて種々のデータ等を利用して演算処理を行うことにより、セキュリティゲート２０における後述する各種の機能を実現する。
【００５５】
制御部２１は、第１センサ２６及び第２センサ２７からの検知信号、及びセキュリティサーバ１００からのエラー信号等に基づいて、ゲートフラッパ２８を開閉する。
【００５６】
入出力インタフェース２３は、例えばＬＡＮアダプタ等を利用して構成される。入出力インタフェース２３は、セキュリティゲート２０が、セキュリティサーバ１００との間で各種信号を送受信するためのインタフェースである。入出力インタフェース２３は、制御部２１から出力された信号を所定の形式の信号に変換してセキュリティサーバ１００に出力する。また、入出力インタフェース２３は、セキュリティサーバ１００から入力された信号を所定の形式の信号に変換して制御部２１に出力する。
【００５７】
リーダ２５は、行先階登録装置３０のリーダ３６と同構成のリーダにより構成され、カードリーダ部２５ａと、ＱＲコードリーダ部２５ｂとを有する。具体的には、リーダ２５のカードリーダ部２５ａとＱＲコードリーダ部２５ｂは、図４に示すように、一体的に構成されている。リーダ２５のＱＲコードリーダ部２５ｂは、セキュリティゲート２０のゲート本体２０ａの筐体の上面に臨ませて配置される光学式リーダ（スキャナあるいはカメラ）と、光学式リーダで読み取ったＱＲコードをデコードするデコーダとを備える。カードリーダ部２５ａは、ＱＲコードリーダ部２５ｂの光学式リーダよりも筐体内部側に配置されている。なお、本発明において、リーダ２５は、カードリーダ部２５ａとＱＲコードリーダ部２５ｂとが一体的に構成されたものでなくてもよい。例えば、カードリーダ部２５ａとＱＲコードリーダ部２５ｂとは、セキュリティゲート２０のゲート本体２０ａの筐体の上面や側面の異なる位置に配置されてもよい。
【００５８】
リーダ２５は、ＩＤカードがかざされると、カードリーダ部２５ａにより、ＩＤカードから利用者ＩＤを取得する。リーダ２５は、取得した利用者ＩＤを、制御部２１及び入出力インタフェース２３を介してセキュリティサーバ１００に出力する。なお、このとき、リーダ２５は、当該リーダ２５のデバイスＩＤをあわせてセキュリティサーバ１００に送信する。
【００５９】
リーダ２５は、ＱＲコードがかざされると、ＱＲコードリーダ部２５ｂにより、ＱＲコードを読み取ってデコードし、デコードすることで取得されたデータ（情報端末ＩＤ等の情報）を、制御部２１及び入出力インタフェース２３を介してセキュリティサーバ１００に出力する。なお、このとき、リーダ２５は、当該リーダ２５のデバイスＩＤをあわせてセキュリティサーバ１００に送信する。
【００６０】
１−２−６．ゲート表示器
ゲート表示器７０は、セキュリティゲート２０に設置され、当該セキュリティゲート２０のリーダ２５を介して登録された行先階呼びに対して群管理制御装置１０が割り当てた割当号機を示す情報や、割当に関するその他の情報を表示する表示器である。ゲート表示器７０はセキュリティゲート２０に設置されるが、群管理制御装置１０との間で割当号機情報等の信号の授受を直接行う。なお、ゲート表示器７０は、セキュリティゲート２０の制御部２１を介して、群管理制御装置１０との間で信号の授受を行ってもよい。
【００６１】
１−２−７．セキュリティサーバ
セキュリティサーバ１００は、セキュリティゲート２０のリーダ２５または行先階登録装置３０のリーダ３６でＩＤカードから取得された利用者ＩＤ、またはＱＲコードから取得された情報端末ＩＤに基づいて認証を行うとともに、セキュリティゲート２０の開閉を制御する。また、セキュリティサーバ１００は、エレベータ６０を割り当てることを依頼する割当依頼情報を生成して群管理制御装置１０に出力する。
【００６２】
図６は、実施形態１におけるセキュリティサーバ１００の電気的構成を示すブロック図である。セキュリティサーバ１００の制御部１０１は、コンピュータを利用して構成され、制御部１０１と、記憶部１０２と、入出力インタフェース１０３と、を備える。
【００６３】
記憶部１０２は、例えばＲＡＭ、ＲＯＭ、ＨＤＤ、ＳＳＤ等を利用して構成され、プログラム、及び種々のデータを格納している。プログラムは、本実施形態のセキュリティサーバ１００の後述する各種機能を実現するためのプログラムを含む。記憶部１０２は、データとして、利用者データベース（以下「利用者ＤＢ」という）を格納している。利用者ＤＢの構成については後述する。
【００６４】
また、記憶部１０２は、データとして、セキュリティゲート２０（２０Ａ〜２０Ｃ）の設置階を示す設置階情報を格納している。設置階情報は、セキュリティゲート２０を通過した利用者に対してセキュリティサーバ１００により生成される割当依頼情報における出発階情報として利用される。なお、セキュリティゲート２０を複数の階に設置する場合、記憶部１０２に、例えば、セキュリティゲート２０のリーダ２５のデバイスＩＤと設置階情報とを対応付けて記録した設置階情報テーブルを格納しておいてもよい。この場合、セキュリティゲート２０のリーダ２５からデバイスＩＤを受信したときに、設置階情報テーブルからデバイスＩＤに対応付けられている設置階情報を取得し、取得した設置階情報を出発階情報として利用すればよい。なお、ＱＲコードがセキュリティゲート２０（２０Ａ〜２０Ｃ）のリーダ２５にかざされた場合には、リーダ２５から送信されてくるデータ（情報）に出発階の情報が含まれている。この場合、セキュリティサーバ１００は、リーダ２５から送信されてきたデータ（情報）に含まれる出発階の情報を、割当依頼情報における出発階の情報として利用する。
【００６５】
また、記憶部１０２は、データとして、行先階登録装置３０（３０Ａ〜３０Ｚ）の設置階を示す設置階情報を記憶している。設置階情報は、行先階登録装置３０のリーダ３６で行先階登録を行った利用者に対してセキュリティサーバ１００により生成される割当依頼情報における出発階情報として利用される。行先階登録装置３０は複数の階に設置されているため、記憶部１０２に、例えば、行先階登録装置３０（３０Ａ〜３０Ｚ）のリーダ３６のデバイスＩＤと設置階情報とを対応付けて記録した設置階情報テーブルを格納しておいてもよい。この場合、行先階登録装置３０（３０Ａ〜３０Ｚ）のリーダ３６からデバイスＩＤを受信したときに、設置階情報テーブルからデバイスＩＤに対応付けられている設置階情報を取得し、取得した設置階情報を出発階情報として利用すればよい。なお、ＱＲコードが行先階登録装置３０（３０Ａ〜３０Ｚ）のリーダ３６にかざされた場合には、リーダ３６から送信されてくるデータ（情報）に、出発階の情報が含まれている。この場合、セキュリティサーバ１００は、リーダ３６から送信されてきたデータ（情報）に含まれる出発階の情報を、割当依頼情報における出発階情報として利用する。
【００６６】
制御部１０１は、例えばＣＰＵ、ＭＰＵ等を利用して構成される。制御部１０１は、記憶部１０２から読み出した上記プログラムに基づいて種々のデータ等を利用して演算処理を行うことにより、セキュリティサーバ１００における後述する各種の機能を実現する。
【００６７】
入出力インタフェース１０３は、例えばＬＡＮアダプタ等を利用して構成される。入出力インタフェース１０３は、セキュリティサーバ１００が、リーダ３６、群管理制御装置１０、セキュリティゲート２０、及び情報端末２００との間で各種信号を送受信するためのインタフェースである。入出力インタフェース１０３は、制御部１０１から出力された信号を所定の形式の信号に変換して群管理制御装置１０、行先階登録装置３０、セキュリティゲート２０、及び情報端末２００に出力する。また、入出力インタフェース１０３は、リーダ３６、群管理制御装置１０、行先階登録装置３０、セキュリティゲート２０、及び情報端末２００から入力された信号を所定の形式の信号に変換して制御部１０１に出力する。
【００６８】
図７は、実施形態１におけるセキュリティサーバ１００の記憶部１０２に格納されている利用者ＤＢの構成を示す図である。利用者ＤＢは、利用者ＩＤに対応付けて、情報端末ＩＤと、デフォルト行先階と、許可階と、利用履歴とを格納している。これらの情報の利用者ＤＢへの登録はビル管理者により行われる。
【００６９】
利用者ＩＤは、ビルの利用者に対応させて一意に設定された、利用者を識別するための情報である。利用者ＩＤは、ＩＤカードのカードＩＤでもある。利用者ＩＤは、ビル管理者によって設定される。なお、図７の利用者ＤＢでは利用者ＩＤは４桁で示されているが、それ以上の桁数、例えば１６桁としてもよい。また、利用者ＩＤは文字や記号を含んでもよい。
【００７０】
情報端末ＩＤは、情報端末２００を所持する利用者のデフォルト行先階等の情報を取得するために用いられるユニークな情報である。情報端末ＩＤは、例えば、情報端末２００の利用の申請をビル管理者が利用者から受け付けたときに、ビル管理者から利用階設定アプリの利用者に書面や電子メール等の手段により提供される。なお、図７の利用者ＤＢでは情報端末ＩＤは７桁で示されているが、それ以上の桁数、例えば１６桁としてもよい。また、情報端末ＩＤは文字や記号を含んでもよい。
【００７１】
デフォルト行先階は、利用者の行先階としてデフォルトで設定されている階床である。デフォルト行先階としては、例えば、利用者が入居している階床が設定される。なお、本実施形態では、情報端末２００に導入された利用階設定アプリを利用して、利用者によるデフォルト行先階の変更を可能としている。なお、この変更が行われたときに、セキュリティサーバ１００上の利用者ＤＢのデフォルト行先階についても変更するようにしてもよい。変更した場合、ＩＤカードをリーダ２５または３６にかざしたときに設定される行先階も変更されることとなる。この変更については、図１９〜図２３の説明を行った後で詳しく説明する。
【００７２】
許可階は、利用者の利用が許可されている階床である、例えば、利用者が入居している階床や、ビル内の全利用者が利用できる階床が許可階として設定される。全利用者が利用できる階床とは、例えば食堂階や会議室階である。なお、ロビー階は、利用者ＤＢ上で許可階として登録するまでもなく全ての利用者に対してデフォルトで許可されるように構成している。しかし、ロビー階についても利用者ＤＢに許可階として登録するようにしてもよい。
【００７３】
利用履歴は、利用者がセキュリティゲート２０のリーダ２５または行先階登録装置３０のリーダ３６にＱＲコードをかざして認証を行った履歴である。なお、本実施形態では、利用履歴として、セキュリティゲート２０のリーダ２５または行先階登録装置３０のリーダ３６で読み取られたＱＲコードに格納されている作成時刻の情報を用いる。利用履歴の情報は、新たに取得された場合において所定の条件（後述する）を満たすときに、それまでの利用履歴の情報に追記される形で記録される。
【００７４】
図７に示す例では、利用者ＩＤ“０００１”に対応付けて、情報端末ＩＤ、デフォルト行先階、許可階、及び利用履歴として“３４２２００１”、“１０”、“５，１０，１１，１２”、及び“２０１６−０６−１６−１６−１５−２３，２０１６−０６−１６−０８−３０−３８，…”が記録されている。利用者ＩＤ“０００２”に対応付けて、情報端末ＩＤ、デフォルト行先階、許可階、及び利用履歴として、“３４２２００２”、“２０”、“５，１８，１９，２０”、及び“２０１６−０６−１６−１２−２４−５５，２０１６−０６−１６−０７−３１−１８，…”が記録されている。利用者ＩＤ“０００３”に対応付けて、デフォルト行先階、及び許可階として、“１２”、及び“５，１０，１１，１２”が記録されている。利用者ＩＤ“０００３”に関しては、情報端末２００の利用の申請がされておらず、そのため、情報端末ＩＤ及び利用履歴は記録されていない。利用者ＩＤ“０００４”に対応付けて、情報端末ＩＤ、デフォルト行先階、許可階、及び利用履歴として、“３４２２００３”、“１３”、“５，１０，１３，１４”、及び“２０１６−０６−１６−１８−０５−１０，２０１６−０６−１６−０７−５５−２１，…”が記録されている。なお、図７には示していないが、上記以外の利用者ＩＤについても同様に情報端末ＩＤ、デフォルト行先階、許可階、及び利用履歴が対応付けて記録されている。
【００７５】
１−２−８．情報端末
情報端末２００は、利用者の所持するスマートフォンやタブレット型コンピュータ等の携帯型のコンピュータに、利用階設定アプリをインストールすることで構成される。情報端末２００は、本発明における情報端末の一例である。利用階設定アプリは、本発明におけるプログラムの一例である。なお、本発明における情報端末は、専用部品や専用プログラムを利用した専用端末により構成されてもよい。
【００７６】
図８は、実施形態１における情報端末２００の電気的構成を示すブロック図である。情報端末２００は、制御部２０１と、記憶部２０２と、通信部２０３と、表示部２０４と、操作部２０５とを備える。
【００７７】
記憶部２０２は、例えばＲＡＭ、ＲＯＭ、ＨＤＤ、ＳＳＤ等を利用して構成され、プログラム、及び種々のデータを格納している。プログラムは、本実施形態の情報端末２００の各種機能を実現するためのプログラムとしての利用階設定アプリを含んでいる。
【００７８】
制御部２０１は、例えばＣＰＵ、ＭＰＵ等を利用して構成される。制御部２０１は、記憶部２０２から読み出した上記プログラムに基づいて種々のデータ等を利用して演算処理を行うことにより、情報端末２００における後述する各種の機能を実現する。
【００７９】
表示部２０４は、制御部２０１から出力される表示信号に基づく画像等の表示を行う。
【００８０】
操作部２０５は、利用者が情報端末２００を操作するためのインタフェースである。操作部２０５は、操作内容に応じた信号を制御部２０１に出力する。
【００８１】
本実施形態では、表示部２０４及び操作部２０５は、液晶ディスプレイパネルや有機ＥＬディスプレイパネルを利用したタッチパネル式表示装置により一体的に構成されている。なお、表示部２０４と操作部２０５は、表示部２０４に表示されているボタン等のオブジェクトを指定可能であれば、異なる部品を利用して別々に構成されてもよい。
【００８２】
図９は、実施形態１における情報端末２００の記憶部２０２に格納されているアプリ設定テーブルの構成を示す図である。アプリ設定テーブルは、情報端末ＩＤに対応付けて、デフォルト行先階と、よく使う出発階及び行先階と、許可階とを記録している。
【００８３】
情報端末ＩＤは、利用者ＤＢに利用者ＩＤに対応付けて登録されている情報端末ＩＤと同一のものであり、書面や電子メール等でビル管理者から利用者に提供され、利用者が利用階設定アプリを初めて実行する際に、提供された当該情報端末ＩＤを入力することで、アプリ設定テーブルに登録される。
【００８４】
デフォルト行先階は、情報端末２００上での利用階設定アプリの初回実行時に利用者が情報端末ＩＤを入力したときに、情報端末２００がセキュリティサーバ１００と通信を行うことで利用者ＤＢから取得されて、アプリ設定テーブルに登録される。そして、利用階設定アプリの初回実行後に、利用階設定アプリ上で利用者によるデフォルト行先階の変更操作が行われた場合、アプリ設定テーブルに、変更後のデフォルト行先階が登録される。なお、利用階設定アプリ上でデフォルト行先階の変更が行われた場合、セキュリティサーバ１００上の利用者ＤＢのデフォルト行先階についても変更するようにしてもよい。変更方法については、図１３〜図２３の説明を行った後で説明する。
【００８５】
よく使う出発階及び行先階は、利用階設定アプリのインストール後、利用階設定アプリ上での利用者による設定処理に基づいて登録される。
【００８６】
許可階は、利用者ＤＢにおいて利用者ＩＤに対応付けて登録されている許可階と同一の階床が設定される。具体的には、利用者が利用階設定アプリを初めて実行する際に、提供された情報端末ＩＤを利用階設定アプリに入力することで、情報端末２００がセキュリティサーバ１００と通信を行って取得され、アプリ設定テーブルに登録される。
【００８７】
図９に示す例では、情報端末ＩＤ“３４２２００３”に対応付けて、デフォルト行先階、よく使う出発階及び行先階、及び許可階として“１３”、“１→１０，１→５，５→１０”、“５，１０，１３，１４”が記録されている。なお、図１０は、よく使う出発階及び行先階が追加されたアプリ設定テーブルの例を示す図であり、よく使う出発階及び行先階として“１０→５”が追加され、よく使う出発階及び行先階の欄が“１→１０，１→５，５→１０，１０→５”となっている。
【００８８】
２．動作
２−１．エレベータシステムの動作
２−１−１．セキュリティゲートのゲートフラッパの開閉制御
２−１−１−１．セキュリティゲートのリーダにＩＤカードがかざされたとき
セキュリティゲート２０のゲートフラッパ２８の開閉制御について時系列的に説明する。ゲートフラッパ２８は閉状態をデフォルトとする。利用者が、ＩＤカードをリーダ２５に接触させあるいは近接させながらセキュリティゲート２０に進入すると、リーダ２５のカードリーダ部２５ａにより、ＩＤカードから利用者ＩＤが読み取られ（取得され）、リーダ２５からセキュリティサーバ１００に利用者ＩＤが送信される。このとき、リーダ２５から当該リーダ２５のデバイスＩＤも送信される。受信した利用者ＩＤが正規なものである場合、セキュリティサーバ１００の制御部１０１は、エラー信号を送信しない。この場合、セキュリティゲート２０の制御部２１は、ゲートフラッパ２８を開状態に制御する。これにより、利用者は、セキュリティゲート２０を通過することができる。
【００８９】
一方、受信した利用者ＩＤが正規なものでない場合、セキュリティサーバ１００は、エラー信号を、デバイスＩＤが示すリーダ２５が配備されたセキュリティゲート２０に送信する。この場合、セキュリティゲート２０の制御部２１は、ゲートフラッパ２８を閉状態で維持する。そのため、正規でない利用者ＩＤを格納するＩＤカードをかざした利用者は、セキュリティゲート２０を通過することができない。
【００９０】
２−１−１−２．セキュリティゲートのリーダにＱＲコードがかざされたとき
利用者が、ＱＲコードをセキュリティゲート２０のリーダ２５にかざすと、リーダ２５のＱＲコードリーダ部２５ｂによりＱＲコードが読み取られてデコードされ、デコードすることで取得されたデータ（情報）が、リーダ２５からセキュリティサーバ１００に送信される。このとき、当該リーダ２５から当該リーダ２５のデバイスＩＤも送信される。受信したデータに含まれる情報端末ＩＤが利用者ＤＢに登録されている（記憶部１０２に格納されている）場合、セキュリティサーバ１００は、エラー信号を送信しない。この場合、制御部２１は、ゲートフラッパ２８を開状態に制御する。これにより、正規なＱＲコードをかざした利用者がセキュリティゲート２０を通過することができる。
【００９１】
一方、受信したデータに含まれる情報端末ＩＤが利用者ＤＢに登録されていない場合、セキュリティサーバ１００は、エラー信号を、情報端末ＩＤの送信元のリーダ２５が配備されたセキュリティゲート２０に送信する。この場合、セキュリティゲート２０の制御部２１は、ゲートフラッパ２８を閉状態で維持する。そのため、非正規のＱＲコードをかざした利用者は、セキュリティゲート２０を通過することができない。
【００９２】
２−１−１−３．セキュリティゲートのリーダにＩＤカード及びＱＲコードがかざされていないにもかかわらず、第１センサからの信号を受信したとき
セキュリティゲート２０のリーダ２５にＩＤカードもＱＲコードもかざされていないにもかかわらず、第１センサ２６からの信号を受信した場合、当該セキュリティゲート２０の制御部２１は、ゲートフラッパ２８を閉状態で維持する。非正規の利用者がセキュリティゲート２０を通過するのを阻止するためである。
【００９３】
このように、正規の利用者は特定領域に進入することができるが、非正規の利用者は特定領域に進入できない。よって、ビル内のセキュリティが確保される。
【００９４】
２−１−２．号機割当制御等
２−１−２−１．セキュリティゲートのリーダにＩＤカードがかざされたとき
セキュリティサーバ１００は、セキュリティゲート２０のリーダ２５にＩＤカードがかざされた場合において、リーダ２５から受信した利用者ＩＤが正規なものであるとき（利用者ＤＢに登録されているとき）、当該利用者ＩＤに対応付けられている行先階を利用者ＤＢから読み込む。また、セキュリティサーバ１００は、セキュリティゲート２０の設置階情報を、受信したセキュリティゲート２０のデバイスＩＤに基づいて設置階情報テーブルから取得し、出発階として設定する。そして、セキュリティサーバ１００は、出発階と、行先階と、セキュリティゲート２０のデバイスＩＤとを、割当依頼情報として、群管理制御装置１０に送信する。
【００９５】
群管理制御装置１０は、割当依頼情報（出発階、行先階、デバイスＩＤ）を受信した場合、受信した割当依頼情報に基づいて割当号機を決定する。そして、群管理制御装置１０は、決定した割当号機を示す割当号機情報を、割当依頼情報に含まれるデバイスＩＤが示すセキュリティゲート２０のゲート表示器７０に送信する。なお、群管理制御装置１０は、複数台のセキュリティゲート２０のデバイスＩＤと、各セキュリティゲート２０のゲート表示器７０とを対応付けて記録したテーブルを記憶部１２に格納している。
【００９６】
ゲート表示器７０は、群管理制御装置１０から割当号機情報を受信すると、割当号機の情報を表示する。
【００９７】
２−１−２−２．セキュリティゲートのリーダにＱＲコードがかざされたとき
セキュリティサーバ１００は、セキュリティゲート２０のリーダ２５にＱＲコードがかざされた場合において、リーダ２５から受信したデータに含まれる情報端末ＩＤが正規なものであるとき（利用者ＤＢに含まれているとき）、受信したデータから出発階及び行先階の情報を取得する。そして、セキュリティサーバ１００は、出発階と、行先階と、セキュリティゲート２０のデバイスＩＤとを、割当依頼情報として、群管理制御装置１０に送信する。
【００９８】
群管理制御装置１０は、割当依頼情報（出発階、行先階、デバイスＩＤ）を受信した場合、受信した割当依頼情報に基づいて割当号機を決定する。そして、群管理制御装置１０は、決定した割当号機を示す割当号機情報を、割当依頼情報に含まれるデバイスＩＤが示すセキュリティゲート２０のゲート表示器７０に送信する。
【００９９】
ゲート表示器７０は、群管理制御装置１０から割当号機情報を受信すると、割当号機の情報を表示する。
【０１００】
２−１−２−３．行先階登録装置のリーダにＩＤカードがかざされたとき
セキュリティサーバ１００は、行先階登録装置３０のリーダ３６にＩＤカードがかざされた場合において、リーダ３６から受信した利用者ＩＤが正規なものであるとき（利用者ＤＢに登録されているとき）、当該利用者ＩＤに対応付けられている行先階を利用者ＤＢから読み込む。また、セキュリティサーバ１００は、行先階登録装置３０の設置階情報を、受信した行先階登録装置３０のデバイスＩＤに基づいて設置階情報テーブルから取得し、出発階として設定する。そして、セキュリティサーバ１００は、出発階と、行先階と、行先階登録装置３０のデバイスＩＤとを、割当依頼情報として、群管理制御装置１０に送信する。
【０１０１】
群管理制御装置１０は、割当依頼情報（出発階、行先階、デバイスＩＤ）を受信した場合、受信した割当依頼情報に基づいて割当号機を決定する。そして、群管理制御装置１０は、決定した割当号機を示す割当号機情報を、割当依頼情報に含まれるデバイスＩＤが示す行先階登録装置３０に送信する。
【０１０２】
行先階登録装置３０は、群管理制御装置１０から割当号機情報を受信すると、割当号機の情報を表示部３４に表示する。
【０１０３】
２−１−２−４．行先階登録装置のリーダにＱＲコードがかざされたとき
セキュリティサーバ１００は、行先階登録装置３０のリーダ３６にＱＲコードがかざされた場合において、リーダ３６から受信したデータに含まれる情報端末ＩＤが正規なものであるとき（利用者ＤＢに含まれているとき）、受信したデータから出発階及び行先階の情報を取得する。そして、セキュリティサーバ１００は、出発階と、行先階と、セキュリティゲート２０のデバイスＩＤとを、割当依頼情報として、群管理制御装置１０に送信する。
【０１０４】
群管理制御装置１０は、割当依頼情報（出発階、行先階、デバイスＩＤ）を受信した場合、受信した割当依頼情報に基づいて割当号機を決定する。そして、群管理制御装置１０は、決定した割当号機を示す割当号機情報を、割当依頼情報に含まれるデバイスＩＤが示す行先階登録装置３０に送信する。
【０１０５】
行先階登録装置３０は、群管理制御装置１０から割当号機情報を受信すると、割当号機の情報を表示部３４に表示する。
【０１０６】
２−１−３．エレベータシステムの具体的動作
エレベータシステムの具体的動作についてフローチャートを参照して説明する。
【０１０７】
２−１−３−１．セキュリティサーバの動作
図１１は、実施形態１におけるセキュリティサーバ１００の動作を説明するフローチャートである。
【０１０８】
セキュリティサーバ１００の制御部１０１は、リーダ２５で取得された情報を受信したか否かを判断する（Ｓ１１）。
【０１０９】
情報を受信していない場合（Ｓ１１でＮＯ）、セキュリティサーバ１００の制御部１０１は、本ステップＳ１１の判断を再度実行する。
【０１１０】
情報を受信した場合（Ｓ１１でＹＥＳ）、セキュリティサーバ１００の制御部１０１は、受信した情報がセキュリティゲート２０のＱＲコードリーダ部２５ｂで読み取られた情報か否かを判断する（Ｓ１２）。例えば、セキュリティサーバ１００の制御部１０１は、受信した情報がＱＲコードから読み取られた（取得された）情報か否かを、受信した情報の形式がＱＲコードから読み取られた情報の形式と一致しているか否かに基づいて判断する。例えば、ＱＲコードから読み取られたか否かを示すフラグをリーダ２５から出力する情報に付加しておけば、受信した情報がＱＲコードから読み取られた情報か否かを判断することができる。
【０１１１】
受信した情報がＱＲコードリーダ部２５ｂで読み取られた情報でない場合（Ｓ１２でＮＯ）、セキュリティサーバ１００の制御部１０１は、受信した情報が、利用者ＤＢに登録されている利用者ＩＤか否かを判断する（Ｓ１３）。
【０１１２】
受信した情報が、利用者ＤＢに登録されている利用者ＩＤである場合（Ｓ１３でＹＥＳ）、セキュリティサーバ１００の制御部１０１は、利用者ＤＢから、受信した利用者ＩＤに対応付けられている行先階（デフォルト行先階）を読み出す（Ｓ１４）。
【０１１３】
セキュリティサーバ１００の制御部１０１は、出発階と、行先階と、利用者ＩＤの送信元のリーダ２５が配備されたセキュリティゲート２０のデバイスＩＤとを、割当依頼情報として群管理制御装置１０に送信する（Ｓ１５）。出発階としては、前述のように、利用者ＩＤの送信元のリーダ２５が配備されたセキュリティゲート２０の設置階が用いられる。
【０１１４】
ステップＳ１３の判断において、受信した情報が、利用者ＤＢに登録されている利用者ＩＤでない場合（Ｓ１３でＮＯ）、セキュリティサーバ１００の制御部１０１は、利用者ＩＤの送信元のリーダ２５が配備されたセキュリティゲート２０にエラー信号を送信する（Ｓ２３）。セキュリティゲート２０の制御部２１は、エラー信号を受信すると、ゲートフラッパ２８を閉状態で維持する。なお、受信した情報が、利用者ＤＢに登録されている利用者ＩＤである場合（Ｓ１３でＹＥＳ）には、この利用者ＩＤを格納したＩＤカードをかざした利用者に関して、エラー信号が送信されることがなく、このとき、セキュリティゲート２０の制御部２１は、ゲートフラッパ２８を開状態に制御する。
【０１１５】
ステップＳ１２の判断において、受信した情報がＱＲコードリーダ部２５ｂで読み取られた情報である場合（Ｓ１２でＹＥＳ）、セキュリティサーバ１００の制御部１０１は、受信した情報から、情報端末ＩＤと、作成時刻と、出発階と、行先階の情報を取り出す（Ｓ１６）。
【０１１６】
セキュリティサーバ１００の制御部１０１は、取り出した情報端末ＩＤが利用者ＤＢに登録されているか否かを判断する（Ｓ１７）。
【０１１７】
取り出した情報端末ＩＤが利用者ＤＢに登録されている場合（Ｓ１７でＹＥＳ）、セキュリティサーバ１００の制御部１０１は、ステップＳ１６で取り出した作成時刻の情報が、利用者ＤＢにおいて、取り出した情報端末ＩＤに対応付けられている利用履歴の情報として含まれているか否かを判断する（Ｓ１８）。つまり、今回読み取られたＱＲコードが既に利用されたことがあるものか否かを判断する。
【０１１８】
作成時刻の情報が、情報端末ＩＤに対応付けられた利用履歴の情報として含まれていない場合（Ｓ１８でＮＯ）、セキュリティサーバ１００の制御部１０１は、作成時刻からＴ秒が経過しているか否かを判断する（Ｓ１９）。
【０１１９】
作成時刻からＴ秒が経過していない場合（Ｓ１９でＮＯ）、作成時刻の情報を利用者ＤＢに当該利用者の利用履歴として追加する（Ｓ２０）。つまり、ＱＲコードの有効期限が過ぎたか否かを判断する。
【０１２０】
セキュリティサーバ１００の制御部１０１は、出発階と、行先階と、情報端末ＩＤの送信元のリーダ２５が配備されたセキュリティゲート２０のデバイスＩＤとを、割当依頼情報として群管理制御装置１０に送信する（Ｓ２４）。行先階及び出発階としては、ＱＲコードから取り出された行先階及び出発階が用いられる。
【０１２１】
ステップＳ１７で情報端末ＩＤが利用者ＤＢに登録されていないと判断された場合（Ｓ１７でＮＯ）、及び作成時刻の情報が、情報端末ＩＤに対応付けられた利用履歴の情報として含まれていると判断された場合（Ｓ１８でＹＥＳ）、及び作成時刻からＴ秒が経過している場合（Ｓ１９でＹＥＳ）、セキュリティサーバ１００の制御部１０１は、情報端末ＩＤの送信元のリーダ２５が配備されたセキュリティゲート２０にエラー信号を送信する（Ｓ２２）。セキュリティゲート２０の制御部２１は、エラー信号を受信すると、ゲートフラッパ２８を閉状態で維持する。なお、作成時刻からＴ秒が経過していないとの判断にまで進んだ場合（Ｓ１９でＮＯ）には、この情報端末ＩＤを格納したＱＲコードをかざした利用者に関して、エラー信号が送信されることがなく、このとき、セキュリティゲート２０の制御部２１は、ゲートフラッパ２８を開状態に制御する。
【０１２２】
なお、セキュリティサーバ１００が行先階登録装置３０のリーダ３６から情報端末ＩＤを受信したときには、セキュリティサーバ１００がセキュリティゲート２０のリーダ２５から情報端末ＩＤを受信したときの動作（図１１で説明した動作）とほぼ同様の動作が行われる。具体的には、上述した図１１に関するフローチャートの説明において、セキュリティサーバ１００を行先階登録装置３０と読み替えればよい。なお、セキュリティサーバ１００が行先階登録装置３０のリーダ３６から情報端末ＩＤを受信したときには、ステップＳ２２、Ｓ２３の処理は行われない。
【０１２３】
２−１−３−２．群管理制御装置の動作
図１２は、実施形態１における群管理制御装置１０の動作を説明するフローチャートである。
【０１２４】
群管理制御装置１０の制御部１１は、セキュリティサーバ１００から割当依頼情報を受信したか否かを判断する（Ｓ３１）。
【０１２５】
受信していない場合（Ｓ３１でＮＯ）、群管理制御装置１０の制御部１１は、ステップＳ３１の処理を再度実行する。
【０１２６】
受信した場合（Ｓ３１でＹＥＳ）、群管理制御装置１０の制御部１１は、割当依頼情報が示す出発階及び行先階について最適な号機を選択し、割当号機として設定する（Ｓ３２）。
【０１２７】
最適な号機の選択は例えば以下のように行われる。群管理制御装置１０の制御部１１は、まず、各エレベータの運行情報に基づいて、行先階呼びに係る行先階を割り当てるべきエレベータ（割当号機）を選択するための評価値を、エレベータ（号機）毎に算出する。ここで、各エレベータの運行情報は、例えば、各エレベータのかご状態（かごの位置、走行方向、ドアの開閉状態、荷重等を含む）、予測される待ち時間（行先階呼びが発生してから割当号機が出発階に到着するまでの時間）、予測されるサービス完了時間（行先階呼びが発生してから割当号機が行先階に到着するまでの時間）、かごの予定される停止回数（サービス完了までの間に予定されるエレベータの停止回数）などを示す情報を含む。上記評価値の算出後、群管理制御装置１０は、エレベータ６０Ａ〜６０Ｆのうちから例えば最も小さい評価値を有するエレベータを最適な号機として選択し、行先階を、選択したエレベータに割り当てる。なお、群管理制御装置１０は、この方法以外に、一般的に知られている他の方法を用いて行先階をいずれかのエレベータに割り当ててもよい。
【０１２８】
割当号機を決定すると、群管理制御装置１０の制御部１１は、決定した割当号機を示す割当号機情報を、割当依頼情報に含まれるデバイスＩＤが示すセキュリティゲート２０のゲート表示器７０または行先階登録装置３０に送信する（Ｓ３３）。これにより、ゲート表示器７０または行先階登録装置３０の表示部３４において、割当号機名等が表示される。
【０１２９】
２−２．情報端末への利用階設定アプリの導入
情報端末２００に利用階設定アプリを導入する際に情報端末２００及びエレベータシステムにおいて行われる処理について説明する。情報端末２００に利用者が利用階設定アプリを導入する場合、利用者はまず利用階設定アプリを所定のサイトからダウンロードし、インストールを行う。情報端末２００上での利用階設定アプリの初回実行時、情報端末２００は表示部２０４に情報端末ＩＤの入力要求画面を表示させる。利用者により情報端末ＩＤが入力されると、情報端末２００はインターネット等の通信回線を介して情報端末ＩＤをセキュリティサーバ１００に送信する。情報端末ＩＤを受信すると、セキュリティサーバ１００は、入力された情報端末ＩＤが利用者ＤＢに登録されている場合、情報端末ＩＤに対応するデフォルト行先階及び許可階を利用者ＤＢから読み出し、情報端末ＩＤの送信元の情報端末２００に送信する。情報端末２００は、情報端末ＩＤに対応するデフォルト行先階及び許可階を受信すると、受信したデフォルト行先階及び許可階をアプリ設定テーブルに記録し、利用階設定アプリの初期設定を完了する。これにより、利用者は、利用階設定アプリの利用が可能となる。
【０１３０】
２−３．情報端末において利用階設定アプリにより実現される動作
図１３〜図２３を参照して、利用階設定アプリにより情報端末２００において実現される機能（動作）を説明する。図１３〜図２３は、制御部が利用階設定アプリを実行することで情報端末２００の表示部２０４に表示される画面の例を示した図である。
【０１３１】
利用階設定アプリを起動させると、情報端末２００の表示部２０４に図１３の初期画面Ｉｍ０が表示される。初期画面Ｉｍ０には、第１ボタンＢ１、第２ボタンＢ２、第３ボタンＢ３、及び設定ボタンＢ４が表示される。第１ボタンＢ１は、デフォルト行先階についてのＱＲコードの生成を行うための画面（以下適宜「第１ＱＲコード生成画面」という）を表示させるためのボタンである。第１ボタンＢ１には、現在のデフォルト行先階があわせて表示されている。図１３の画面では、現在のデフォルト行先階が１３階である例が示されている。なお、これは、図７利用者ＤＢにおける利用者ＩＤが０００４の利用者の場合を例としており、デフォルト行先階は１３階に設定され、許可階は、５階、１０階、１３階、１４階に設定されている。図１３に戻り、第２ボタンＢ２は、よく使う出発階及び行先階についてのＱＲコードの生成を行うための画面（以下適宜「第２ＱＲコード生成画面」という）を表示させるためのボタンである。第３ボタンＢ３は、任意の出発階及び行先階を直接入力してＱＲコードの生成を行うための画面（以下適宜「第３ＱＲコード生成画面」という）を表示させるためのボタンである。なお、利用階設定アプリを利用して出発階及び行先階として設定可能な階床は、アプリ設定テーブルに記録されている許可階に限られる。
【０１３２】
第１ボタンＢ１がタッチされると、図１４に示す第１ＱＲコード生成画面Ｉｍ１が表示される。第１ＱＲコード生成画面Ｉｍ１には、デフォルトの行先階として設定されている階床を示す行先階フレームＦｄと、ＱＲコード生成ボタンＢＱが表示される。図１４の例では、デフォルト行先階として１３階が設定されていることが表示されている。
【０１３３】
第２ボタンＢ２がタッチされると、図１５に示す第２ＱＲコード生成画面Ｉｍ２が表示される。第２ＱＲコード生成画面Ｉｍ２には、設定済みのよく使う行先階及び出発階の指定ボタン（Ｂ２１，Ｂ２２，Ｂ２３）と、ＱＲコード生成ボタンＢＱが表示される。図１５では、よく使う行先階及び出発階のボタンとして、「１階→１０階」の指定ボタンＢ２１と、「１階→５階」の指定ボタンＢ２２と、「５階→１０階」の指定ボタンＢ２３とが表示された例を示している。また、ＱＲコード生成ボタンＢＱが表示される。よく使う行先階及び出発階のボタンは、アプリ設定テーブルの「よく使う出発階及び行先階」の情報に基づいて生成される。
【０１３４】
第３ボタンＢ３がタッチされると、図１６Ａに示す第３ＱＲコード生成画面Ｉｍ３が表示される。第３ＱＲコード生成画面Ｉｍ３には、出発階の入力枠Ａ１と、行先階の入力枠Ａ２と、ＱＲコード生成ボタンＢＱが表示される。出発階の入力枠Ａ１及び行先階の入力枠Ａ２は、タッチされると、行先階及び出発階として設定可能な複数の候補階が表示される。複数の候補階は、例えば、プルダウン形式で表示され、いずれかの候補階がタッチされると、タッチされた候補階が、図１６Ｂに示すように出発階の入力枠Ａ１及び行先階の入力枠Ａ２内に表示される。図１６Ｂの例では、出発階として１階が設定され、行先階として１４階が表示されている。
【０１３５】
図１４、図１５、図１６Ｂのいずれかの画面が表示されているときに、ＱＲコード生成ボタンＢＱがタッチされると、設定された出発階及び行先階に基づいてＱＲコードが生成され、図１７に示すＱＲコード表示画面Ｉｍｑが表示される。なお、デフォルト行先階用のＱＲコードを生成するために用いられる図１４の第１ＱＲコード生成画面Ｉｍ１では、利用者による出発階の設定はないが、制御部２０１により、セキュリティゲート２０が配置された１階（ロビー階）が出発階として自動的に設定される。なお、この第１ＱＲコード生成画面Ｉｍ１でＱＲコードの生成操作が行われた場合に、出発階の情報を格納していないＱＲコードを生成するようにしてもよい。このようなＱＲコードがリーダ２５、３６にかざされた場合におけるセキュリティサーバ１００の処理については他の実施形態で説明する。
【０１３６】
図１７に戻り、ＱＲコード表示画面Ｉｍｑには、生成されたＱＲコードと、戻るボタンＢＲと、有効期限の表示が行われる。図１７では便宜上、ＱＲコードを黒の塗りつぶしで表現している。また、図１７の表示例では、有効期限の表示として「２０１６／０６／１６  ＡＭ８：４２まで有効です」という表示が行われている。有効期限は、ＱＲコード生成ボタンＢＱがタッチされた時刻から所定時間Ｔ（例えば６０秒）が経過した時刻に設定される。所定時間Ｔは、ビルのセキュリティの観点から長過ぎない時間に設定されている。なお、ＱＲコード生成ボタンＢＱがタッチされると、即座（ほぼ同時）にＱＲコードが生成されて表示されるため、有効期限は、ＱＲコードが生成または表示された時刻から所定時間Ｔ（例えば６０秒）が経過した時刻でもある。
【０１３７】
図１７のＱＲコード表示画面Ｉｍｑを表示させた状態において、ＱＲコードの有効期限が過ぎると、図１８に示すＱＲコード失効画面Ｉｍｐが表示される。ＱＲコード失効画面Ｉｍｐでは、ＱＲコードが消去されたことをあらわす失効フレームＦｅが表示される。また、ＱＲコード失効画面Ｉｍｐには、戻るボタンＢＲと、再生成ボタンＢＧと、有効期限経過の表示が行われる。図１８の表示例では、有効期限経過の表示として「有効期限が過ぎました」という表示が行われている。
【０１３８】
図１８のＱＲコード失効画面Ｉｍｐにおいて、戻るボタンＢＲがタッチされると、図１３の初期画面Ｉｍ０が表示される。また、図１８のＱＲコード失効画面Ｉｍｐにおいて、再生成ボタンＢＧがタッチされると、失効したＱＲコードを生成した際に設定された出発階及び行先階に基づいてＱＲコードが再生成され、図１７のＱＲコード表示画面Ｉｍｑが表示される。このとき、有効期限は、再生成ボタンＢＧがタッチされた時刻から所定時間Ｔ（例えば６０秒）が経過した時刻に設定される。なお、再生成ボタンＢＧがタッチされると、即座（ほぼ同時）にＱＲコードが再生成されて表示されるため、有効期限は、ＱＲコードが再生成または表示された時刻から所定時間Ｔ（例えば６０秒）が経過した時刻でもある。
【０１３９】
図１７のＱＲコード表示画面Ｉｍｑまたは図１８のＱＲコード失効画面Ｉｍｐにおいて、戻るボタンＢＲがタッチされると、図１３の初期画面Ｉｍ０が表示される。
【０１４０】
また、図１３〜図１８のいずれかの画面が表示されているときに、情報端末２００のホームボタンＲがタッチ（あるいは押下）されると、情報端末２００自体のホーム画面に切り替わり、利用階設定アプリは、情報端末２００上においてバックグラウンド処理の状態となる。バックグラウンド処理の状態において、利用階設定アプリのアイコンへのタッチ等により利用階設定アプリが再度フォアグラウンド処理の状態に戻った場合、図１３の初期画面Ｉｍ０が表示される。
【０１４１】
次に、図１３の初期画面Ｉｍ０において設定ボタンＢ４がタッチされたときの動作について説明する。初期画面Ｉｍ０において設定ボタンＢ４がタッチされると、図１９に示す設定画面Ｉｍ４が表示される。設定画面Ｉｍ４には、第１設定ボタンＢ４１と、第２設定ボタンＢ４２が表示される。第１設定ボタンＢ４１は、デフォルト行先階の変更を行うための画面（以下適宜「デフォルト行先階変更画面」という）を表示させるためのボタンである。第２設定ボタンＢ４２は、よく使う出発階及び行先階の追加を行うための画面（以下適宜「よく使う行先階及び出発階追加画面」という）を表示させるためのボタンである。
【０１４２】
第１設定ボタンＢ４１がタッチされると、図２０Ａに示すデフォルト行先階変更画面Ｉｍｃが表示される。デフォルト行先階変更画面Ｉｍｃには、行先階の入力枠Ａ１と、変更ボタンＢＣが表示される。行先階の入力枠Ａ１は、タッチされると、行先階として設定可能な複数の候補階が表示される。複数の候補階は、例えば、プルダウン形式で表示され、いずれかの候補階がタッチされると、タッチされた候補階が、図２０Ｂに示すように、出発階の入力枠Ａ１内に表示される。図２０Ｂの例では、行先階として１４階が表示されている。
【０１４３】
デフォルト行先階変更画面Ｉｍｃにおいて変更ボタンＢＣがタッチされると、初期画面Ｉｍ０に戻る。このとき、図２１に示すように、初期画面Ｉｍ０の第１ボタンＢ１におけるデフォルト行先階の表示が１４階に変更される。これにより、利用者は、デフォルト行先階が変更されたことを認識することができる。
【０１４４】
図１９の設定画面Ｉｍ４において第２設定ボタンＢ４２がタッチされると、図２２Ａに示すよく使う行先階及び出発階追加画面Ｉｍｆが表示される。よく使う行先階及び出発階追加画面Ｉｍｆには、現在設定されているよく使う出発階及び行先階のリストＬと、出発階の入力枠Ａ１と、行先階の入力枠Ａ２と、戻るボタンＢＲと、追加ボタンＢＡが表示される。図２２ＡのリストＬの例では、１階→１０階、１階→５階、５階→１０階が表示されている。このリストＬは、アプリ設定テーブルの「よく使う出発階及び行先階」の情報に基づいて生成される。出発階の入力枠Ａ１及び行先階の入力枠Ａ２は、タッチされると、行先階及び出発階として設定可能な複数の候補階が表示される。複数の候補階は、例えば、プルダウン形式で表示され、いずれかの候補階がタッチされると、タッチされた候補階が、図２２Ｂに示すように、出発階の入力枠Ａ１及び行先階の入力枠Ａ２内に表示される。図２２Ｂの例では、出発階として１０階が設定され、行先階として５階が表示されている。
【０１４５】
よく使う行先階及び出発階追加画面Ｉｍｆにおいて追加ボタンＢＡがタッチされると、図２３に示すように、リストＬに、追加操作が行われた行先階及び出発階の組み合わせ「１０階→５階」が追加される。これにより、利用者は、追加操作を行ったよく使う行先階及び出発階が追加されたことを認識することができる。
【０１４６】
図２２Ａ〜図２３のよく使う行先階及び出発階追加画面Ｉｍｆにおいて、戻るボタンＢＲがタッチされると、図１３の初期画面Ｉｍ０が表示される。なお、戻るボタンＢＲがタッチされる前にデフォルト行先階の変更操作が行われていた場合には、図１３の初期画面Ｉｍ０の第１ボタンＢ１に表示されるデフォルト行先階は変更後の階数となる。
【０１４７】
また、図１９〜図２３のいずれかの設定画面が表示されているときに、情報端末２００のホームボタンＲがタッチ（あるいは押下）されると、情報端末２００自体のホーム画面に切り替わり、利用階設定アプリは、情報端末２００上においてバックグラウンド処理の状態となる。バックグラウンド処理の状態において、利用階設定アプリのアイコンへのタッチ等により利用階設定アプリが再度フォアグラウンド処理の状態に戻った場合、図１３の初期画面Ｉｍ０が表示される。なお、戻るボタンＢＲがタッチされる前に、デフォルト行先階の変更操作が行われていた場合には、図１３の初期画面Ｉｍ０の第１ボタンＢ１に表示されるデフォルト行先階は変更後の階数となる。
【０１４８】
なお、図２０Ａ及び図２０Ｂのデフォルト行先階変更画面Ｉｍｃ上で行われたデフォルト行先階の変更結果に基づいて、エレベータシステムにおける図７の利用者ＤＢのデフォルト行先階を変更するように構成してもよい。この場合、ＩＤカードをリーダ２５または３６にかざして認証を行ったときに設定される行先階が、利用階設定アプリでデフォルト行先階として変更した行先階に変更されることとなる。一方、変更しない場合、ＩＤカードをリーダ２５または３６にかざして認証を行ったときに設定される行先階は、利用者ＤＢに最初に登録されたデフォルト行先階のままであり、利用階設定アプリでデフォルト行先階として変更した行先階とは異なった階床となる。利用階設定アプリで行ったデフォルト行先階の変更を利用者ＤＢに反映させるためには、例えば以下のように構成すればよい。すなわち、利用階設定アプリのデフォルト行先階変更画面Ｉｍｃで変更ボタンＢＣがタッチされたときに、情報端末２００は、変更されたデフォルト行先階と、情報端末ＩＤをセキュリティサーバ１００にインターネット等の通信回線を介して送信する。セキュリティサーバ１００は、利用者ＤＢにおいて、情報端末２００から受信した情報端末ＩＤに対応して記録されているデフォルト行先階を、情報端末２００から受信したデフォルト行先階に変更する。
【０１４９】
２−２−３．情報端末における利用階設定アプリによるＱＲコードの生成動作
図２４は、実施形態１における情報端末２００における利用階設定アプリによるＱＲコード生成動作を説明するフローチャートである。このフローチャートによる処理は、利用者により情報端末２００上において起動されたときに開始する。
【０１５０】
利用階設定アプリを起動させると、情報端末２００の制御部２０１は、図１３の初期画面Ｉｍ０を表示させる（Ｓ１１１）。
【０１５１】
情報端末２００の制御部２０１は、出発階及び行先階の設定操作及びＱＲコードの生成操作が行われたか否かを判断する（Ｓ１１２）。この判断は、図１３〜図１６ＢのいずれかのＱＲコード生成画面において第１ボタンＢ１、第２ボタンＢ２、第３ボタンＢ３のいずれかのボタンがタッチされて出発階及び行先階の設定が行われ、ＱＲコード生成ボタンＢＱがタッチされたか否かに基づいて行われる。ＱＲコード生成ボタンＢＱがタッチされた場合、出発階及び行先階の設定操作及びＱＲコードの生成操作が行われた（ＹＥＳ）と判断される。一方、ＱＲコード生成ボタンＢＱがタッチされていない場合、出発階及び行先階の設定操作及びＱＲコードの生成操作が行われていない（ＮＯ）と判断される。なお、前述したように、デフォルト行先階用のＱＲコードを生成するための図１４の第１ＱＲコード生成画面Ｉｍ１では利用者による出発階の設定はされないが、情報端末２００の制御部２０１によって、セキュリティゲート２０の配置された１階（ロビー階）が出発階として自動的に設定される。これをもって、情報端末２００の制御部２０１は、利用者による出発階の設定がなされたものとみなす（判断する）。
【０１５２】
出発階及び行先階の設定操作及びＱＲコードの生成操作が行われていないと判断された場合（Ｓ１１２でＮＯ）、情報端末２００の制御部２０１は、本ステップＳ１１２の判断を再度実行する。
【０１５３】
出発階及び行先階の設定操作（以下適宜「利用階設定操作」という）及びＱＲコードの生成操作が行われたと判断された場合（Ｓ１１２でＹＥＳ）、情報端末２００の制御部２０１は、利用階設定操作で設定された出発階及び行先階に基づいてＱＲコードを生成する（Ｓ１１３）。生成されたＱＲコードは、表示部２０４への表示処理用に記憶部２０２に一時的に格納される。生成されたＱＲコードは、出発階、行先階、情報端末ＩＤ、及び現在時刻の情報を格納している。ＱＲコードの生成において、出発階、行先階としては、利用階設定操作で設定された出発階、行先階が用いられ、情報端末ＩＤとしては、アプリ設定テーブルに登録されている情報端末ＩＤが用いられ、現在時刻としては、ＱＲコード生成ボタンＢＱがタッチされた時刻が用いられる。なお、ＱＲコード生成ボタンＢＱがタッチされると、即座（ほぼ同時）にＱＲコードが生成されるため、現在時刻は、ＱＲコードが生成された時刻でもある。
【０１５４】
情報端末２００の制御部２０１は、表示部２０４にＱＲコード表示画面Ｉｍｑを表示させる（Ｓ１１４）。ＱＲコード表示画面Ｉｍｑでは、図１７を用いて説明したように、生成されたＱＲコードや有効期限等が表示される。
【０１５５】
情報端末２００の制御部２０１は、ＱＲコードを消去すべき操作が行われたか否かを判断する（Ｓ１１５）。ＱＲコードを消去すべき操作とは、図１３〜図１６ＢのいずれかのＱＲコード生成画面において戻るボタンＢＲがタッチされる戻り操作、または情報端末２００のホームボタンＲがタッチ（または押下）される操作である。情報端末２００のホームボタンＲがタッチ（または押下）される操作が行われると、ＯＳのホーム画面が表示される。本フローチャートの説明では、以下適宜、情報端末２００のホームボタンＲがタッチ（または押下）される操作を「ＯＳホーム画面表示操作」という。
【０１５６】
ＱＲコードを消去すべき操作が行われた場合（Ｓ１１５でＹＥＳ）、情報端末２００の制御部２０１は、ＱＲコードを消去すべき操作が、ＯＳホーム画面表示操作であるか否かを判断する（Ｓ１１６）。
【０１５７】
消去すべき操作がＯＳホーム画面表示操作である場合（Ｓ１１６でＹＥＳ）、情報端末２００の制御部２０１は、ステップＳ１１３で生成されたＱＲコードを記憶部２０２から消去し（Ｓ１１７）、ＯＳのホーム画面を表示させ、本フローチャートによる処理を終了する。
【０１５８】
一方、消去すべき操作がＯＳホーム画面表示操作でない場合（Ｓ１１６でＮＯ）、つまり戻り操作である場合、情報端末２００の制御部２０１は、ステップＳ１１３で生成されたＱＲコードを記憶部２０２から消去し（Ｓ１２２）、ステップＳ１１１に戻り、利用階設定アプリの初期画面Ｉｍ０（図１３の画面（行先階はそのとき設定されているデフォルト行先階となる））を表示させる。
【０１５９】
上記のステップＳ１１５において、ＱＲコードを消去すべき操作が行われていない場合（Ｓ１１５でＮＯ）、情報端末２００の制御部２０１は、ＱＲコードを生成してから所定時間Ｔが経過したか否かを判断する（Ｓ１１８）。所定時間Ｔは、前述のようにビルのセキュリティの観点から長過ぎない時間に設定され、例えば６０秒である。なお、前述のように、ＱＲコード生成ボタンＢＱへのタッチ操作とほぼ同時に、ＱＲコードは生成及び表示されるため、本ステップ１１８の判断は、ＱＲコード生成ボタンＢＱへのタッチ操作またはＱＲコードの表示から所定時間Ｔが経過したか否かの判断でもある。
【０１６０】
ＱＲコードを生成（タッチ操作または表示）してから所定時間Ｔが経過していない場合（Ｓ１１８でＮＯ）、情報端末２００の制御部２０１は、ステップＳ１１５の判断を再度実行する。
【０１６１】
ＱＲコードを生成（タッチ操作または表示）してから所定時間Ｔが経過した場合（Ｓ１１８でＹＥＳ）、情報端末２００の制御部２０１は、表示部２０４に、有効期限が過ぎたことを示す画面（図１８のＱＲコード失効画面Ｉｍｐ）を表示させる（Ｓ１１９）。
【０１６２】
情報端末２００の制御部２０１は、ＱＲコード再生成の操作が行われたか否かを判断する（Ｓ１２０）。具体的には、情報端末２００の制御部２０１は、図１８のＱＲコード失効画面Ｉｍｐにおいて、再生成ボタンＢＧがタッチされたか否かを判断する。
【０１６３】
ＱＲコード再生成の操作が行われた場合（Ｓ１２０でＹＥＳ）、情報端末２００の制御部２０１は、ステップＳ１１３で生成されたＱＲコードを記憶部２０２から消去し（Ｓ１２３）、ステップＳ１１３に戻り、先の利用階設定操作で設定された出発階及び行先階に基づいてＱＲコードを再度生成する。
【０１６４】
ＱＲコード再生成の操作が行われていない場合（Ｓ１２０でＮＯ）、情報端末２００の制御部２０１は、ＱＲコードを消去すべき操作が行われたか否かを判断する（Ｓ１２１）。ＱＲコードを消去すべき操作とは、ステップＳ１１５で説明したＱＲコードを消去すべき操作と同じである。
【０１６５】
ＱＲコードを消去すべき操作が行われていない場合（Ｓ１２１でＮＯ）、情報端末２００の制御部２０１は、ステップＳ１２０の判断を再度実行する。つまり、情報端末２００の制御部２０１は、図１８のＱＲコード失効画面Ｉｍｐの再生成ボタンＢＧがタッチされたか否かを再度判断する。
【０１６６】
ＱＲコードを消去すべき操作が行われた場合（Ｓ１２１でＹＥＳ）、情報端末２００の制御部２０１は、前述したステップＳ１１６の処理を実行する。
【０１６７】
３．本実施形態の作用
本実施形態の作用について説明する。
【０１６８】
まず、利用者がＩＤカードを利用してビル内に入館してエレベータを利用する場合について説明する。利用者は、ＩＤカードをセキュリティゲート２０のリーダ２５にかざす。このときリーダ２５のカードリーダ部２５ａによりＩＤカードから利用者ＩＤが読み取られ（取得され）、セキュリティサーバ１００に送信される。利用者ＩＤが利用者ＤＢに登録されていれば、セキュリティサーバ１００により、セキュリティゲート２０のゲートフラッパ２８が開状態に制御され、利用者は、セキュリティゲート２０を通過してエレベータ乗場（特定領域）に進入することができる。また、利用者がセキュリティゲート２０を通過する際、セキュリティゲート２０のゲート表示器７０には、割当号機と行先階の情報が表示される。そのため、利用者は、乗車すべき割当号機を知ることができる。したがって、利用者は、ＩＤカードをセキュリティゲート２０のリーダ２５にかざすだけで、セキュリティゲート２０を通過して割当号機に乗車し、行先階に向かうことができる。
【０１６９】
次に、利用者が情報端末２００を利用してビル内に入館してエレベータを利用する場合について説明する。まず、利用者は、ビルのエントランス等でセキュリティゲート２０を通過する前に、情報端末２００の利用階設定アプリを起動し、第１、第２、第３ＱＲコード生成画面Ｉｍ１、Ｉｍ２、Ｉｍ３のうち所望のＱＲコード生成画面を表示させ、ＱＲコード生成ボタンＢＱをタッチする。これにより、セキュリティゲート２０を通過してエレベータを利用するためのＱＲコードが生成され、生成されたＱＲコードを表示したＱＲコード表示画面Ｉｍｑが情報端末２００の表示部２０４に表示される。利用者は、自己の情報端末２００の表示部２０４に、ＱＲコード表示画面Ｉｍｑを表示させたままでセキュリティゲート２０のリーダ２５にかざす。このときリーダ２５のＱＲコードリーダ部２５ｂによりＱＲコードが読み取られ、ＱＲコードをデコードすることで得られたデータ（情報）がセキュリティサーバ１００に送信される。ＱＲコードをデコードすることで得られたデータ（情報）に含まれる情報端末ＩＤが利用者ＤＢに含まれている場合、セキュリティサーバ１００により、セキュリティゲート２０のゲートフラッパ２８が開状態に制御され、利用者は、セキュリティゲート２０を通過して特定領域に進入することができる。また、利用者がセキュリティゲート２０を通過する際、セキュリティゲート２０のゲート表示器７０には、割当号機と行先階の情報が表示される。そのため、利用者は、乗車すべき割当号機を知ることができる。したがって、利用者は、ＱＲコードをセキュリティゲート２０のリーダ２５にかざすだけで、セキュリティゲート２０を通過して割当号機に乗車し、行先階に向かうことができる。この場合の行先階は、許可階の範囲内で、利用者により設定された階床である。
【０１７０】
このように、本実施形態によると、利用者は、自己の情報端末２００の表示部２０４に、利用階設定アプリを利用して生成したＱＲコード（ＱＲコード表示画面Ｉｍｑ）を表示させてセキュリティゲート２０のリーダ２５にかざすだけで、セキュリティゲート２０を通過し、かつ所望の行先階が割り当てられたエレベータに乗車することができる。特に、本実施形態では、利用者は、行先階を許可階の範囲内で自由に設定できる。従来、ＩＤカードを利用してエレベータ乗場内に進入した利用者が、利用者ＩＤに対応付けられている行先階（この段落の説明では以下「所定行先階」という）以外の階床（許可階）に行くためには、エレベータ乗場内の行先階登録装置３０で、行きたい階床を入力して号機の割当てを再度受ける必要があった。この場合、利用者において行先階登録装置３０での行先階の入力等の手間が増加する。特に、所定行先階以外の階床に行く機会が多い利用者（例えば所定行先階以外の階床にあるカフェテリア、コンビニエンスストア等の店舗や、更衣室等に立ち寄ってから所定行先階の事務所に向かう利用者）にとっては、利便性が悪い。また、エレベータシステムにおいては、セキュリティゲート２０の通過時に所定行先階に対して割り当てた呼びが無駄呼びとなることで、運行効率の悪化が生じる。
【０１７１】
この問題に関しては、セキュリティサーバから群管理制御装置に送られる割当依頼情報に利用者ＩＤを含めておき、所定の短時間内（例えば数分内）に同一の利用者ＩＤを含む割当依頼情報が生成されたときに、最初に受信した割当依頼情報に関する呼びをキャンセルすることで、つまり無駄となった呼びをキャンセルすることで技術的には解決可能である。しかし現実には、ビルのセキュリティの関係から利用者ＩＤを群管理制御装置に送信することについてビル側から了解が得られず、無駄呼びをキャンセルための上記構成を実現できない場合もある。
【０１７２】
しかし、本実施形態では、利用者において自己の情報端末２００で利用階設定アプリを利用してＱＲコードを生成し、生成したＱＲコード（ＱＲコード表示画面Ｉｍｑ）を表示部２０４に表示させてセキュリティゲート２０のリーダ２５にかざすだけで、セキュリティゲート２０を通過し、かつ自己が行きたい行先階が割り当てられたエレベータに乗車することができる。そのため、利用者は、行先階登録装置３０で行先階の再入力を行うことなく、自己が行きたい行先階が割り当てられたエレベータに乗車することができる。そのため、エレベータの利用者の利便性が向上する。また、無駄呼びの発生が大きく抑制されるため、従来と比べ、エレベータシステムにおける運行効率が向上するとともに、無駄呼びを消去する必要性もなくなり、その結果、無駄呼びを消去するために利用者ＩＤを利用する必要性もなくなる。
【０１７３】
ここで、上記のようなＱＲコードを利用者により生成可能とする場合、ビル及びエレベータのセキュリティを十分に考慮する必要があるが、本実施形態では、有効期限が経過したＱＲコードは情報端末２００の画面から消去され、その利用は不可能となる。また、ＱＲコードをセキュリティゲート２０や行先階登録装置３０のリーダ２５，３６に一度かざすと、作成時刻の情報が利用履歴として格納され、その後、同一のＱＲコードを利用することはできない。このように、本実施形態では、ＱＲコードを利用者において生成可能とした場合でも、ビル及びエレベータのセキュリティを適切に確保することができる。
【０１７４】
（実施形態についてのまとめ及び効果等）
（１）実施形態１の行先階取得装置５０は、
エレベータ６０の利用者の所持する情報端末２００により生成されて情報端末２００の表示部２０４に表示されたＱＲコード（二次元コード）を読み取り、ＱＲコード（二次元コード）に格納された情報を取得するリーダ２５，３６と、
複数の情報端末２００の情報端末ＩＤ（識別情報）を格納する記憶部１０２と、
リーダ２５，３６でＱＲコード（二次元コード）から取得された情報に基づく制御を行う制御部１０１と、を備える。
ＱＲコード（二次元コード）は、情報端末２００の情報端末ＩＤ（識別情報）と行先階の情報とを格納する。
制御部１０１は、ＱＲコード（二次元コード）から取得された情報端末ＩＤ（識別情報）が記憶部１０２に格納されているときは、ＱＲコード（二次元コード）から取得された行先階の情報を、エレベータ６０の運行を制御する群管理制御装置１０（運行制御装置）に出力する。
【０１７５】
これにより、情報端末２００で生成されたＱＲコード（二次元コード）を表示部２０４に表示させてリーダ２５，３６にかざすだけで、利用者が行きたい行先階をエレベータ６０の群管理制御装置１０（運行制御装置）に設定できる。そのため、エレベータ６０の利用者の利便性を向上させることができる。
【０１７６】
また、無駄呼びも発生しないため、エレベータシステムにおける運行効率が向上する。
【０１７７】
（２）実施形態１の行先階取得装置５０において、
ＱＲコード（二次元コード）は、さらに、出発階の情報を格納する。
制御部１０１は、ＱＲコード（二次元コード）から取得された情報端末ＩＤ（識別情報）が記憶部１０２に格納されているときは、さらに、ＱＲコード（二次元コード）から取得された出発階の情報を群管理制御装置１０（運行制御装置）に出力する。
【０１７８】
これにより、情報端末２００で生成されたＱＲコード（二次元コード）を表示部２０４に表示させてリーダ２５，３６にかざすだけで、利用者が乗車する出発階を群管理制御装置１０（運行制御装置）に設定できる。そのため、エレベータ６０の利用者の利便性を一層向上させることができる。
【０１７９】
（３）実施形態１の行先階取得装置５０において、
ＱＲコード（二次元コード）は、さらに、当該ＱＲコード（二次元コード）の作成時刻の情報を格納する。
制御部１０１は、リーダ２５，３６でＱＲコード（二次元コード）が読み取られた時刻が、当該ＱＲコード（二次元コード）の作成時刻から所定時間Ｔが経過した時刻であるときは、ＱＲコード（二次元コード）から取得された行先階の情報を群管理制御装置１０（運行制御装置）に出力しない。
【０１８０】
これにより、ＱＲコード（二次元コード）が万一漏洩した場合でも、ＱＲコード（二次元コード）の作成時刻から所定時間Ｔが経過すると、エレベータ６０が割り当てられない。そのため、エレベータ６０及びビルのセキュリティを適切に維持することができる。
【０１８１】
（４）実施形態１の行先階取得装置５０において、
ＱＲコード（二次元コード）は、さらに、当該ＱＲコード（二次元コード）の作成時刻の情報を格納する。
制御部１０１は、
ＱＲコード（二次元コード）から取得された情報端末ＩＤ（識別情報）が記憶部１０２に格納されているが、ＱＲコード（二次元コード）から取得された作成時刻の情報が記憶部１０２に格納されていないときは、ＱＲコード（二次元コード）から取得された作成時刻の情報を、記憶部１０２に格納されている情報端末ＩＤ（識別情報）に対応付けて利用履歴を示す情報として記憶部１０２に格納し、かつＱＲコード（二次元コード）から取得された行先階の情報を、エレベータの運行を制御する群管理制御装置１０（運行制御装置）に出力し、
ＱＲコード（二次元コード）から取得された識別情報が記憶部１０２に格納され、かつＱＲコード（二次元コード）から取得された作成時刻の情報がＱＲコード（二次元コード）に対応付けて利用履歴を示す情報として記憶部１０２に格納されているときは、ＱＲコード（二次元コード）から取得された行先階の情報を、エレベータの運行を制御する群管理制御装置１０（運行制御装置）に出力しない。
【０１８２】
これにより、エレベータ６０に乗車するためにＱＲコード（二次元コード）が一度利用された後は、再度同一の情報端末ＩＤ（識別情報）及び作成時刻を格納したＱＲコード（二次元コード）を利用してエレベータ６０に乗車することが規制される。そのため、例えば、ＱＲコード（二次元コード）が一度利用された後にコピー等により万一漏洩した場合のエレベータ６０及びビルのセキュリティの低下を抑制できる。
【０１８３】
（５）他の実施形態のエレベータシステムは、
少なくとも１台のエレベータ６０と、
行先階取得装置５０と、
行先階取得装置５０から出力された行先階の情報に基づいて各エレベータ６０の運行を制御する群管理制御装置１０（運行制御装置）と、を備える。
【０１８４】
これにより、前述した効果が得られるエレベータシステムを提供できる。
【０１８５】
（６）実施形態１のエレベータシステムにおいて、
ビル内においてエレベータ６０が配置される領域である特定領域への利用者の進入を規制するゲートフラッパ２８（規制部）と、
リーダ２５で、ＱＲコード（二次元コード）から取得された情報端末ＩＤ（識別情報）が記憶部１０２に格納されているときは、ゲートフラッパ２８（規制部）の規制を解除させる制御部１０１（規制制御部）と、を備える。
【０１８６】
これにより、ＱＲコード（二次元コード）から取得された情報端末ＩＤ（識別情報）に基づいて、ビルの特定領域内への利用者の進入を制御できる。したがって、ＱＲコード（二次元コード）を利用して、ビルの特定領域内のセキュリティを向上させることができる。
【０１８７】
（７）実施形態１の情報端末２００は、
利用者の情報入力操作を受け付ける操作部２０５と、
画像を表示する表示部２０４と、
当該情報端末２００に対応付けられた情報端末ＩＤ（識別情報）と利用者の行先階の情報とを操作部２０５を介して入力し、入力された情報端末ＩＤ（識別情報）と行先階の情報とを格納したＱＲコード（二次元コード）を生成し、生成されたＱＲコード（二次元コード）を表示部２０４に表示させる制御部２０１と、を備える。
【０１８８】
これにより、利用者自身で、エレベータ６０やセキュリティゲート２０を利用するためのＱＲコード（二次元コード）を容易に生成できる。また、情報端末２００で生成されたＱＲコード（二次元コード）を表示部２０４に表示させて行先階取得装置５０のリーダ２５，３６にかざすだけで、利用者が行きたい行先階を群管理制御装置１０（運行制御装置）に設定できる。そのため、エレベータ６０の利用者の利便性を向上させることができる。
【０１８９】
（８）実施形態１の情報端末２００において、
制御部２０１は、さらに、ＱＲコード（二次元コード）を生成してから所定時間Ｔが経過したときに、表示部２０４におけるＱＲコード（二次元コード）の表示を消去させる。
【０１９０】
これにより、ＱＲコード（二次元コード）の利用可能期間を限定することができる。そのため、エレベータ６０やセキュリティゲート２０を利用するためのＱＲコード（二次元コード）を利用者により生成可能にした場合でも、エレベータ６０及びビルのセキュリティの低下を抑制できる。また、表示部２０４の画面からＱＲコード（二次元コード）を消去することで、ＱＲコード（二次元コード）が失効したことを利用者に報知できる。
【０１９１】
（９）実施形態１の情報端末２００において、
制御部２０１は、さらに、ＱＲコード（二次元コード）を生成してから所定時間Ｔが経過したときに、ＱＲコード（二次元コード）が失効したことを示すメッセージを表示部２０４に表示させる。
【０１９２】
これにより、ＱＲコード（二次元コード）が失効したことを利用者により確実に報知できる。
【０１９３】
（１０）実施形態１の情報端末２００において、
制御部２０１は、さらに、ＱＲコード（二次元コード）を生成してから所定時間Ｔが経過したときに、ＱＲコード（二次元コード）の再生成を受け付ける再生成ボタンＢＧを表示部２０４に表示させ、操作部２０５を介して再生成ボタンＢＧに対する操作があったときは、ＱＲコード（二次元コード）を再生成する。
【０１９４】
これにより、利用者が、情報端末２００で生成されたＱＲコード（二次元コード）をリーダ２５，３６にかざすのに時間を要したことでＱＲコード（二次元コード）が失効したような場合に、利用者によりＱＲコード（二次元コード）を容易に再生成できる。
【０１９５】
（１１）実施形態１のプログラムは、
コンピュータを、情報端末２００の制御部２０１として機能させる。
【０１９６】
これにより、コンピュータを利用して、本発明の各種の効果を実現可能な情報端末２００を構成できる。
【０１９７】
（その他の実施形態）
前記実施形態では、二次元コードとしてＱＲコードを例示した。しかし、本発明において、二次元コードはＱＲコードに限定されない。本発明において、二次元コードは、ＡｚｔｅｃＣｏｄｅ、Ｓｅｍａｃｏｄｅ、ＣＰｃｏｄｅ、ＰＤＦ４１７、Ｈｉｇｈ  Ｃａｐａｃｉｔｙ  Ｃｏｌｏｒ  Ｂａｒｃｏｄｅ等、その他の二次元コードであってもよい。
【０１９８】
前記実施形態では、リーダ２５、３６は、ＩＤカードから利用者ＩＤを取得可能なカードリーダ部２５ａ、２６ａを備えている。しかし、リーダ２５、３６は、カードリーダ部２５ａ、２６ａに代えてあるいはそれとともに、スマートフォンやタブレット型コンピュータ等の情報端末との間でＮＦＣにより情報を取得可能なＮＦＣリーダ部を備えてもよい。この場合、ＮＦＣリーダ部は、情報端末からＮＦＣにより情報端末ＩＤを取得する。そして、セキュリティサーバは、ＮＦＣにより取得された情報端末ＩＤをリーダから受信した場合、受信した情報端末ＩＤに対応付けられているデフォルト行先階を利用者ＤＢから取得し、このデフォルト行先階を含む割当依頼情報を群管理制御装置に送信する。この構成によれば、利用者が情報端末によりＮＦＣで認証を行った場合には、デフォルト行先階に対してエレベータの割当が行われ、情報端末によりＱＲコードで認証を行った場合には、許可階の中から利用者により設定された行先階に対してエレベータの割当が行われることとなる。これにより、情報端末を利用している利用者は、ＩＤカードを用いる必要がなくなる。
【０１９９】
前記実施形態において、ＱＲコードを、特定のＱＲコードリーダでのみデコード可能な暗号化ＱＲコードとしてもよい。この場合、情報端末２００に導入する利用階設定アプリとして、このような暗号化ＱＲコードを生成可能なものを用いるとともに、ＱＲコードとして、リーダ２５、３６のＱＲコードリーダ部２５ｂ、３６ｂでのみ暗号解除可能な暗号化ＱＲコードを生成する。また、リーダ２５、３６のＱＲコードリーダ部２５ｂ、３６ｂを特定のＱＲコードリーダとして機能させる。ＱＲコードにおけるこのような暗号化の技術は、公知のものが利用可能である。このように構成することにより、当該ビル及びエレベータの利用者以外の者が類似のＱＲコードを生成した場合には、セキュリティゲートの通過及びエレベータの利用を規制することができる。
【０２００】
前記実施形態では、情報端末２００の表示部２０４に表示されたＱＲコードをリーダ２５、３６にかざした場合、割当号機の情報は、セキュリティゲート２０のゲート表示器７０または行先階登録装置３０の表示部３４にのみ表示される。しかし、情報端末２００の表示部２０４にも割当号機の情報を表示させるようにしてもよい。この場合、群管理制御装置１０は、情報端末２００へ割当号機の情報を送信するための宛先情報（メールアドレス等）を格納したデータベースや、情報端末２００へ割当号機の情報を送信する通信部を備えればよい。
【０２０１】
前記実施形態では、利用履歴の情報を利用者ＤＢに格納した。しかし、利用履歴の情報を格納するための利用履歴データベースを別途設けてもよい。この場合、利用履歴データベースは、情報端末ＩＤに対応付けて利用履歴の情報を格納する。セキュリティサーバ１００の制御部１０１は、利用履歴の情報に関する処理は、利用履歴データベースを用いて行えばよい。
【０２０２】
前記実施形態では、本発明における識別情報として、ビル側から提供された情報端末ＩＤを例示した。しかし、本発明における識別情報は、情報端末を所持する利用者のデフォルト行先階等の情報を取得するために利用可能なユニークな情報であればどのようなものでもよい。例えば、本発明における識別情報は、外部に公開されることが好ましくない利用者ＩＤとは別にビル側から提供され、一定範囲の外部に公開することが許可されているＩＤ（例えば第２の利用者ＩＤ）でもよい。また、本発明における識別情報は、ビル側から提供されるのではなく、利用者側から提供される識別情報であってもよい。この場合、利用者側から提供された識別情報のユニーク性を担保するための処理、及び利用者側から提供された識別情報を利用者ＤＢに登録する処理をビル側において行う必要がある。情報端末に利用階設定アプリをインストール後の初期設定（デフォルト行先階、よく使う出発階及び行先階、許可階の情報の利用者ＤＢからの取得）は、識別情報が利用者ＤＢに登録された後に行う。
【０２０３】
前記実施形態では、情報端末２００を利用した認証において用いる認証情報として情報端末ＩＤ（識別情報）を用いる。しかし、認証情報として、情報端末ＩＤ（識別情報）とパスワードを用いてもよい。この場合、図７の利用者ＤＢにおいて、利用者ＩＤに対応付けてさらにパスワードを格納する。また、図９のアプリ設定テーブルにおいて、情報端末ＩＤに対応付けてさらにパスワードを格納する。また、図１１のステップＳ１６でセキュリティサーバ１００の制御部１０１は、パスワードについてもさらに取得し、ステップＳ１７で、取得した情報端末ＩＤが登録されかつパスワードが一致しているか否かを判断する。情報端末ＩＤが登録されかつパスワードが一致している場合には、ステップＳ１８に進み、それ以外の場合は、ステップＳ２２に進む。また、図２４のステップＳ１１３で、情報端末２００の制御部２０１は、パスワードの情報もさらに含むＱＲコードを生成する。このような構成とすることにより、ＱＲコードを利用した認証を行う場合のセキュリティをより向上させることができる。
【０２０４】
前記実施形態では、利用階設定アプリで生成されたＱＲコードを、作成時刻から所定時間Ｔが経過したときに情報端末２００の画面から消去することで（ＱＲコード失効画面Ｉｍｐが表示することで）、ＱＲコードの有効期限を限定する。しかし、ＱＲコードに含まれる作成時刻に基づいて、セキュリティサーバ１００が、所定時間Ｔが経過したか否かを判断し、所定時間Ｔが経過したと判断した場合、割当依頼情報を生成せず、ゲートを閉状態のまま維持するように構成してもよい。
【０２０５】
また、ＱＲコードに、作成時刻に代えて、有効期限の時刻の情報を格納してもよい。この場合、有効期限の時刻は、作成時刻から上記所定時間Ｔが経過した時刻とし、利用者ＤＢにおける利用履歴として作成時刻に代えて有効期限の時刻の情報を格納する。セキュリティサーバ１００は、図１１のステップＳ１９における、ＱＲコードの作成時刻から所定時間Ｔが経過したか否かの判断に代えて、ＱＲコードの有効期限の時刻が過ぎたか否かについて判断する。また、セキュリティサーバ１００は、図１１のステップＳ１８の、作成時刻が、利用者ＤＢで情報端末ＩＤに対応付けて記録されている利用履歴（作成時刻の情報）として含まれているか否かの判断に代えて、有効期限の時刻が、利用者ＤＢで情報端末ＩＤに対応付けて記録されている利用履歴（有効期限の情報）として含まれているか否かの判断を行えばよい。
【０２０６】
前記実施形態では、デフォルト行先階用のＱＲコードを生成するために用いられる図１４の第１ＱＲコード生成画面Ｉｍ１において利用者による出発階の設定はなく、制御部２０１により、セキュリティゲート２０が配置された１階（ロビー階）が出発階として自動的に設定される。しかし、この第１ＱＲコード生成画面Ｉｍ１でＱＲコードの生成操作が行われた場合に、出発階の情報を格納していないＱＲコードを生成するようにしてもよい。このようなＱＲコードがリーダ２５、３６にかざされた場合、リーダ２５、３６からセキュリティサーバ１００に、出発階の情報を格納していないＱＲコードのデータ（情報）が送信される。この場合、セキュリティサーバ１００は、ＩＤカードから利用者ＩＤを取得した場合のように、出発階として、セキュリティゲート２０及び行先階登録装置３０の設置階を利用すればよい。この方法によれば、第１ＱＲコード生成ボタンをタッチすることで、利用者が現在いる階床からデフォルト行先階に行くためのＱＲコードを生成することができる。
【０２０７】
前記実施形態では、ＱＲコード失効画面Ｉｍｐにおいて、ＱＲコードに代えて失効フレームＦｅを表示させることで、ＱＲコードの表示を消去する。しかし、ＱＲコード失効画面Ｉｍｐにおいて、ＱＲコードに重ねて×印等の消去マーカを表示することで、ＱＲコードの表示を消去してもよい。
【０２０８】
前記実施形態では、複数台のエレベータ６０を有するエレベータシステムについて説明した。しかし、本発明は、エレベータを１台だけ有するエレベータシステムにも適用可能である。この場合のエレベータシステムでは、複数台のエレベータ６０の中からいずれかのエレベータに行先階を割り当てる処理（図１２のフローチャートにおけるステップＳ３２の処理等）は不要であるが、それ以外の処理については前記実施形態と同様に行えばよい。このようなシステムにおいても、利用者は、セキュリティゲート２０を通過した後、到着したエレベータに乗車するだけでよく、エレベータかご内での行先階ボタンの操作が不要となる。
【０２０９】
前記実施形態では、セキュリティゲート２０のリーダ２５は制御部２１に接続されており、制御部２１を介してセキュリティサーバ１００との間で信号（情報）の授受を行う。しかし、これは一例であり、セキュリティゲート２０のリーダ２５は、制御部２１を介さずにセキュリティサーバ１００との間で信号（情報）の授受を行ってもよい。
【０２１０】
前記実施形態では、制御部１１、２１、３１、４１、１０１、２０１は、ＣＰＵ、ＭＰＵ等を利用して構成され、記憶部１２、２２、３２、４２、１０２、２０２から読み出したプログラムに基づいて種々のデータ等を利用して演算処理を行うことにより、各種の機能を実現している。つまり、各制御部１１、２１、３１、４１、１０１、２０１は、ハードウェアとソフトウェアとの協働により実現されている。しかし、各制御部１１、２１、３１、４１、１０１、２０１は、例えば、ハードウェア（電子回路）のみ、ＦＰＧＡ、ＡＳＩＣ等を利用して構成してもよい。
【０２１１】
前記実施形態では、ネットワークＮＷはＥｔｈｅｒｎｅｔであり、入出力インタフェース１３、２３、２４、３３、４３、１０３はＬＡＮアダプタ等を利用して構成されている。しかし、ネットワークＮＷは、例えばＩＥＥＥ規格に準拠した無線ＬＡＮであり、入出力インタフェース１３、２３、２４、３３、４３、１０３は無線ＬＡＮアダプタ等を利用して構成されてもよい。
【符号の説明】
【０２１２】
１０  群管理制御装置
１１  制御部
１２  記憶部
１３  入出力インタフェース
２０、２０Ａ、２０Ｂ、２０Ｃ  セキュリティゲート
２０ａ  ゲート本体
２０ｉ  入口
２０ｅ  出口
２１  制御部
２２  記憶部
２３  入出力インタフェース
２５  リーダ
２５ａ  カードリーダ部
２５ｂ  ＱＲコードリーダ部
２６  第１センサ
２７  第２センサ
２８  ゲートフラッパ
３０、３０Ａ〜３０Ｚ  行先階登録装置
３１  制御部
３２  記憶部
３３  第１入出力インタフェース
３４  表示部
３５  操作部
３６  リーダ
３６ａ  カードリーダ部
３６ｂ  ＱＲコードリーダ部
３７  第２入出力インタフェース
４０、４０Ａ〜４０Ｆ  エレベータ制御装置
５０  行先階取得装置
６０、６０Ａ〜６０Ｆ  エレベータ
７０  ゲート表示器
１００  セキュリティサーバ
１０１  制御部
１０２  記憶部
１０３  入出力インタフェース
２００  情報端末
２０１  制御部
２０２  記憶部
２０３  通信部
２０４  表示部
２０５  操作部
Ａ１  出発階の入力枠
Ａ２  行先階の入力枠
Ｂ１  第１ボタン
Ｂ２  第２ボタン
Ｂ３  第３ボタン
Ｂ４  設定ボタン
Ｂ２１，Ｂ２２，Ｂ２３  指定ボタン
Ｂ４１  第１設定ボタン
Ｂ４２  第２設定ボタン
ＢＡ  追加ボタン
ＢＣ  変更ボタン
ＢＧ  再生成ボタン
ＢＱ  ＱＲコード生成ボタン
ＢＲ  戻るボタン
Ｆｄ  行先階フレーム
Ｆｅ  失効フレーム
Ｉｍ０  初期画面
Ｉｍ１  第１ＱＲコード生成画面
Ｉｍ２  第２ＱＲコード生成画面
Ｉｍ３  第３ＱＲコード生成画面
Ｉｍ４  設定画面
Ｉｍｃ  デフォルト行先階変更画面
Ｉｍｐ  ＱＲコード失効画面
Ｉｍｑ  ＱＲコード表示画面
Ｒ  ホームボタン
【図１】
2018080033.tif 000003
【図２】
2018080033.tif 000004
【図３Ａ】
2018080033.tif 000005
【図３Ｂ】
2018080033.tif 000006
【図４】
2018080033.tif 000007
【図５】
2018080033.tif 000008
【図６】
2018080033.tif 000009
【図７】
2018080033.tif 000010
【図８】
2018080033.tif 000011
【図９】
2018080033.tif 000012
【図１０】
2018080033.tif 000013
【図１１】
2018080033.tif 000014
【図１２】
2018080033.tif 000015
【図１３】
2018080033.tif 000016
【図１４】
2018080033.tif 000017
【図１５】
2018080033.tif 000018
【図１６Ａ】
2018080033.tif 000019
【図１６Ｂ】
2018080033.tif 000020
【図１７】
2018080033.tif 000021
【図１８】
2018080033.tif 000022
【図１９】
2018080033.tif 000023
【図２０Ａ】
2018080033.tif 000024
【図２０Ｂ】
2018080033.tif 000025
【図２１】
2018080033.tif 000026
【図２２Ａ】
2018080033.tif 000027
【図２２Ｂ】
2018080033.tif 000028
【図２３】
2018080033.tif 000029
【図２４】
2018080033.tif 000030